(57)【特許請求の範囲】
【請求項１】
第１のワイヤレスデバイスにおいて、複数のデバイスによって復号可能な第１のプリアンブルと、前記複数のデバイスのサブセットのみによって復号可能な第２のプリアンブルとを備える第１のパケットを生成すること、ここで、前記第１のプリアンブルが第１の信号フィールドを備え、前記第２のプリアンブルが第１のトレーニングフィールドを備える、と、
少なくとも１つの他のワイヤレスデバイスによる少なくとも１つの第２のパケットの送信と同時に、前記第１のパケットを、前記第１のワイヤレスデバイスによって送信すること、ここで、前記第１のパケットの長さが、前記少なくとも１つの第２のパケットの長さよりも短く、前記少なくとも１つの他のワイヤレスデバイスが、前記第１のワイヤレスデバイスとの共通ゾーンに割り当てられる、と、
前記少なくとも１つの第２のパケットのうちの最も長いものの長さに等しい、前記第１のパケットの長さを示すための前記第１の信号フィールドを、前記第１のワイヤレスデバイスによって設定することと
を備える、ワイヤレス通信の方法。
【請求項２】
前記第１のワイヤレスデバイスに割り当てられた全チャネル帯域幅のサイズまでのチャネル帯域幅上で、前記第１の信号フィールドを送信することをさらに備える、請求項１に記載の方法。
【請求項３】
前記第１のワイヤレスデバイスが、１次チャネルとして指定されたチャネルの使用を割り当てられない場合、前記１次チャネルとして指定された前記チャネル上で、前記第１の信号フィールドを送信することをさらに備える、請求項１に記載の方法。
【請求項４】
前記第１のワイヤレスデバイスによる使用のために割り当てられない１つまたは複数のチャネルを含む利用可能なチャネル帯域幅上で、前記第１の信号フィールドを送信することをさらに備える、請求項１に記載の方法。
【請求項５】
前記利用可能なチャネル帯域幅が、前記利用可能なチャネル帯域幅の全体である、請求項４に記載の方法。
【請求項６】
前記少なくとも１つの第２のパケットのうちの前記最も長いものの前記長さに等しい、前記第１のパケットの前記長さを示すための前記第１の信号フィールドを設定することが、前記少なくとも１つの第２のパケットのうちの前記最も長いものの前記長さに等しくなるように、前記第１のパケットをパディングすることを備える、請求項１に記載の方法。
【請求項７】
前記少なくとも１つの他のデバイスが、前記共通ゾーンを含む任意のゾーンに割り当てられる、請求項１に記載の方法。
【請求項８】
前記第２のプリアンブルが、第２の信号フィールドをさらに備える、請求項１に記載の方法。
【請求項９】
前記第２の信号フィールドが、長さが１シンボルである、請求項８に記載の方法。
【請求項１０】
前記第２のプリアンブルが、前記第１の信号フィールドの完全または部分繰り返しと、第２の信号フィールドとをさらに備える、請求項１に記載の方法。
【請求項１１】
前記第１の信号フィールドの前記完全または部分繰り返しの極性中の１つまたは複数のビットを符号化することをさらに備える、請求項１０に記載の方法。
【請求項１２】
ワイヤレス通信するように構成された装置であって、
複数のデバイスによって復号可能な第１のプリアンブルと、前記複数のデバイスのサブセットのみによって復号可能な第２のプリアンブルとを備える第１のパケットを生成するように構成されたプロセッサ、ここで、前記第１のプリアンブルが第１の信号フィールドを備え、前記第２のプリアンブルが第１のトレーニングフィールドを備える、と、
少なくとも１つの他のワイヤレスデバイスによる少なくとも１つのトレーニングフィールドの送信と同時に、前記第１のパケットを送信するように構成された送信機、ここで、前記第１のパケットの長さが、前記少なくとも１つのトレーニングフィールドの長さよりも短く、前記少なくとも１つの他のワイヤレスデバイスが、前記装置との共通ゾーンに割り当てられる、と、
を備え、前記プロセッサが、前記少なくとも１つのトレーニングフィールドのうちの最も長いものの長さに等しい、前記第１のパケットの長さを示すための前記第１の信号フィールドを設定するようにさらに構成された、装置。
【請求項１３】
前記第２のプリアンブルが、前記第１の信号フィールドの偶数または奇数トーンの繰り返しと、第２の信号フィールドとをさらに備える、請求項１２に記載の装置。
【請求項１４】
前記第２のプリアンブルが、第２の信号フィールドと、前記第２の信号フィールドの繰り返しとをさらに備える、請求項１２に記載の装置。
【請求項１５】
前記第２のプリアンブルが、第２のトレーニングフィールドをさらに備え、前記第２のトレーニングフィールドが前記第１のトレーニングフィールドよりも短い、請求項１２に記載の装置。
【請求項１６】
前記少なくとも１つの他のワイヤレスデバイスが、前記共通ゾーンを含む任意のゾーンに割り当てられ、前記プロセッサが、前記少なくとも１つの他のワイヤレスデバイスによって送信されるすべてのトレーニングフィールドの境界を整合させるように、前記第１のトレーニングフィールドをパディングするようにさらに構成された、請求項１２に記載の装置。
【請求項１７】
前記第２のプリアンブルが、第２の信号フィールドをさらに備え、
前記第２のプリアンブルの第３の信号フィールドのために使用される保護方法と、
前記第１のトレーニングフィールドのために使用される圧縮方法と、
前記第１のパケットのペイロードのプレフィックスと、
のうちの１つに少なくとも部分的に基づく前記第２の信号フィールドの繰り返しをさらに備え得る、請求項１２に記載の装置。
【請求項１８】
前記第１の信号フィールドが、即時応答存在および／または持続時間指示を備える、請求項１２に記載の装置。
【請求項１９】
前記第１の信号フィールドが、送信電力指示を備える、請求項１２に記載の装置。
【請求項２０】
前記第１の信号フィールドが、部分時間同期機能（ＴＳＦ）を備える、請求項１２に記載の装置。
【請求項２１】
前記第１の信号フィールドが、送信機会（ＴＸＯＰ）帯域幅（ＢＷ）および／または１次チャネルオフセット指示を備える、請求項１２に記載の装置。
【請求項２２】
前記第１の信号フィールドが、部分基地局識別子（ＢＳＳＩＤ）を備える、請求項１２に記載の装置。
【請求項２３】
前記第１の信号フィールドが、アップリンク／ダウンリンク指示を備える、請求項１２に記載の装置。
【請求項２４】
ワイヤレス通信のための装置であって、
複数のデバイスによって復号可能な第１のプリアンブルと、前記複数のデバイスのサブセットのみによって復号可能な第２のプリアンブルとを備える第１のパケットを生成するための手段、ここで、前記第１のプリアンブルが第１の信号フィールドを備え、前記第２のプリアンブルが第１のトレーニングフィールドを備える、と、
少なくとも１つの他のワイヤレスデバイスによる少なくとも１つのトレーニングフィールドの送信と同時に、前記第１のパケットを送信するための手段、ここで、前記第１のパケットの長さが、前記少なくとも１つのトレーニングフィールドの長さよりも短く、前記少なくとも１つの他のワイヤレスデバイスが、前記装置との共通ゾーンに割り当てられる、と、
前記少なくとも１つのトレーニングフィールドのうちの最も長いものの長さに等しい、前記第１のパケットの長さを示すための前記第１の信号フィールドを設定するための手段と
を備える、装置。
【請求項２５】
実行されたとき、装置に、
複数のデバイスによって復号可能な第１のプリアンブルと、前記複数のデバイスのサブセットのみによって復号可能な第２のプリアンブルとを備える第１のパケットを生成すること、ここで、前記第１のプリアンブルが第１の信号フィールドを備え、前記第２のプリアンブルが第１のトレーニングフィールドを備える、と、
少なくとも１つの他のワイヤレスデバイスによる少なくとも１つのトレーニングフィールドの送信と同時に、前記第１のパケットを送信すること、ここで、前記第１のパケットの長さが、前記少なくとも１つのトレーニングフィールドの長さよりも短く、前記少なくとも１つの他のワイヤレスデバイスが、前記装置との共通ゾーンに割り当てられる、と、
前記少なくとも１つのトレーニングフィールドのうちの最も長いものの長さに等しい、前記第１のパケットの長さを示すための前記第１の信号フィールドを設定することと
を行わせるコードを備える、非一時的コンピュータ可読記憶媒体。
【発明の詳細な説明】
【技術分野】
【０００１】
[0001]本開示のいくつかの態様は、一般にワイヤレス通信に関し、より詳細には、ワイヤレスネットワークにおける混合レート通信のための方法および装置に関する。
【背景技術】
【０００２】
[0002]多くの電気通信システムでは、通信ネットワークは、いくつかの対話している空間的に分離されたデバイスの間でメッセージを交換するために使用される。ネットワークは、たとえば、メトロポリタンエリア、ローカルエリア、またはパーソナルエリアであり得る地理的範囲に従って分類され得る。そのようなネットワークはそれぞれ、ワイドエリアネットワーク（ＷＡＮ）、メトロポリタンエリアネットワーク（ＭＡＮ）、ローカルエリアネットワーク（ＬＡＮ）、またはパーソナルエリアネットワーク（ＰＡＮ）に指定され得る。ネットワークはまた、様々なネットワークノードとデバイスとを相互接続するために使用される交換／ルーティング技法（たとえば、回線交換対パケット交換）、送信のために採用される物理媒体のタイプ（たとえば、ワイヤード対ワイヤレス）、および使用される通信プロトコルのセット（たとえば、インターネットプロトコルスイート、ＳＯＮＥＴ（同期光ネットワーキング：Synchronous Optical Networking）、イーサネット（登録商標）など）によって異なる。
【０００３】
[0003]ワイヤレスネットワークは、しばしば、ネットワーク要素がモバイルであり、したがって動的接続性の必要を有するときに、またはネットワークアーキテクチャが、固定ではなくアドホックなトポロジーで形成される場合に好適である。ワイヤレスネットワークは、無線、マイクロ波、赤外線、光などの周波数帯域中の電磁波を使用する非誘導伝搬モードでは、無形物理媒体を採用する。ワイヤレスネットワークは、有利には、固定ワイヤードネットワークと比較して、ユーザモビリティと迅速なフィールド展開とを可能にする。
【０００４】
[0004]複数のデバイス間でワイヤレス通信される情報の量および複雑さが増加し続けるにつれて、物理レイヤ制御信号に必要なオーバーヘッド帯域幅は、少なくとも線形的に増加し続ける。物理レイヤ制御情報を搬送するために利用されるビット数は、必要とされるオーバーヘッドのかなりの部分になっている。したがって、限られた通信リソースの場合、特に複数のタイプのトラフィックがアクセスポイントから複数の端末に同時に送られるとき、この物理レイヤ制御情報を搬送するために必要とされるビット数を低減することが望ましい。たとえば、ワイヤレスデバイスがアクセスポイントに低レートアップリンク通信を送るとき、後方互換性を維持しながら、シグナリングおよびパケット収集のために使用されるビット数を最小限に抑えることが望ましい。したがって、混合レート送信のための改善されたプロトコルが必要である。
【発明の概要】
【０００５】
[0005]添付の特許請求の範囲内のシステム、方法およびデバイスの様々な実装形態は、それぞれいくつかの態様を有し、それらのうちの単一の態様が、単独で、本明細書で説明する望ましい属性を担当するとは限らない。添付の特許請求の範囲を限定することなしに、いくつかの顕著な特徴について本明細書で説明する。
【０００６】
[0006]本明細書で説明する主題の１つまたは複数の実装形態の詳細を添付の図面および以下の説明に記載する。他の特徴、態様、および利点は、説明、図面、および特許請求の範囲から明らかになり得る。以下の図の相対寸法は一定の縮尺で描かれていないことがあることに留意されたい。
【０００７】
[0007]本開示の一態様は、ワイヤレス通信の方法を提供する。本方法は、第１のワイヤレスデバイスにおいて、複数のデバイスによって復号可能な第１のプリアンブルと、複数のデバイスのサブセットのみによって復号可能な第２のプリアンブルとを含む第１のパケットを生成することを含む。第１のプリアンブルは第１の信号フィールドを含む。第２のプリアンブルは第１のトレーニングフィールドを含む。本方法は、第１のワイヤレスデバイス以外のワイヤレスデバイスによって送信されるべき１つまたは複数の第２のパケットと同時に、第１のパケットを送信することをさらに含む。
【０００８】
[0008]様々な実施形態では、本方法は、第１のワイヤレスデバイスに割り当てられた全チャネル帯域幅サイズまでのチャネル帯域幅上で、第１の信号フィールドを送信することをさらに含むことができる。様々な実施形態では、本方法は、第１のワイヤレスデバイスが、１次チャネルとして指定されたチャネルの使用を割り当てられない場合、１次チャネルとして指定されたチャネル上で、第１の信号フィールドを送信することをさらに含むことができる。様々な実施形態では、本方法は、第１のワイヤレスデバイスによる使用のために割り当てられない１つまたは複数のチャネルを含む利用可能なチャネル帯域幅上で、第１の信号フィールドを送信することをさらに含むことができる。様々な実施形態では、利用可能なチャネル帯域幅は、利用可能なチャネル帯域幅の全体であることがある。
【０００９】
[0009]様々な実施形態では、第１のパケットの長さが、第１のワイヤレスデバイスとの共通ゾーンに割り当てられた第２のワイヤレスデバイスによって送信されるべき少なくとも１つの第２のパケットの長さよりも短いことがある。本方法は、第１のワイヤレスデバイスとの共通ゾーンに割り当てられた第２のワイヤレスデバイスによって送信されるべき少なくとも１つの第２のパケットのうちの最も長いものの長さに等しい、第１のパケットの長さを示すための第１の信号フィールドを設定することをさらに含むことができる。本方法は、第１のワイヤレスデバイスとの共通ゾーンに割り当てられた第２のワイヤレスデバイスによって送信されるべき少なくとも１つの第２のパケットのうちの最も長いものの長さに等しくなるように、送信のために第１のパケットをパディングすることをさらに含むことができる。
【００１０】
[0010]様々な実施形態では、第１のパケットの長さが、第１のワイヤレスデバイスとは異なるゾーンに割り当てられた第２のワイヤレスデバイスによって送信されるべき少なくとも１つの第２のパケットの長さよりも短いことがある。本方法は、第１のワイヤレスデバイスと共通に割り当てられたゾーンを含む任意のゾーンに割り当てられている第２のワイヤレスデバイスによって送信されるべき少なくとも１つの第２のパケットのうちの最も長いものの長さに等しい、第１のパケットの長さを示すための第１の信号フィールドを設定することをさらに含むことができる。本方法は、第１のワイヤレスデバイスと共通に割り当てられたゾーンを含む任意のゾーンに割り当てられている第２のワイヤレスデバイスによって送信されるべき少なくとも１つの第２のパケットのうちの最も長いものの長さに等しくなるように、送信のために第１のパケットをパディングすることをさらに含むことができる。
【００１１】
[0011]様々な実施形態では、第１のパケットの長さが、第２のワイヤレスデバイスによって送信されるべき少なくとも１つの第２のパケットの長さよりも短いことがある。本方法は、方法が、第１のパケットをパディングすることを控えることをさらに含むことができることを、さらに含むことができる。様々な実施形態では、第２のプリアンブルは、第２の信号フィールドをさらに含むことができる。
【００１２】
[0012]様々な実施形態では、第２のプリアンブルは、長さが１シンボルである第２の信号フィールドをさらに含むことができる。様々な実施形態では、第２のプリアンブルは、第１の信号フィールドの完全または部分繰り返しと、第２の信号フィールドとをさらに含むことができる。様々な実施形態では、本方法は、第１の信号フィールドの完全または部分繰り返しの極性中の１つまたは複数のビットを符号化することをさらに含むことができる。
【００１３】
[0013]様々な実施形態では、第２のプリアンブルは、第１の信号フィールドの偶数または奇数トーンの繰り返しと、第２の信号フィールドとをさらに含むことができる。様々な実施形態では、第２のプリアンブルは、第２の信号フィールドと、第２の信号フィールドの繰り返しとをさらに含むことができる。様々な実施形態では、第２のプリアンブルは、第２のトレーニングフィールドをさらに含むことができ、第２のトレーニングフィールドは第１のトレーニングフィールドよりも短い。
【００１４】
[0014]様々な実施形態では、第１のトレーニングフィールドの長さが、第１のワイヤレスデバイスとの共通ゾーンに割り当てられた第２のワイヤレスデバイスによって送信されるべき少なくとも１つのトレーニングフィールドの長さよりも短いことがある。本方法は、第１のワイヤレスデバイスとの共通ゾーンに割り当てられた第２のワイヤレスデバイスによって送信されるべきすべてのトレーニングフィールドの境界を整合させるように、第１のトレーニングフィールドをパディングすることをさらに含むことができる。
【００１５】
[0015]様々な実施形態では、第１のトレーニングフィールドの長さが、第１のワイヤレスデバイスと共通に割り当てられたゾーンを含む任意のゾーンに割り当てられている第２のワイヤレスデバイスによって送信されるべき少なくとも１つのトレーニングフィールドの長さよりも短いことがある。本方法は、第１のワイヤレスデバイスと共通に割り当てられたゾーンを含む任意のゾーンに割り当てられている第２のワイヤレスデバイスによって送信されるべきすべてのトレーニングフィールドの境界を整合させるように、第１のトレーニングフィールドをパディングすることをさらに含むことができる。
【００１６】
[0016]様々な実施形態では、第１のトレーニングフィールドの長さが、第２のワイヤレスデバイスによって送信されるべき少なくとも１つのトレーニングフィールドの長さよりも短いことがある。本方法は、第１のトレーニングフィールドをパディングすることを控えることをさらに含むことができる。様々な実施形態では、第２のプリアンブルは、第２の信号フィールドをさらに含むことができ、第２の部分の第３の信号フィールドのために使用される保護方法と、第１のトレーニングフィールドのために使用される圧縮方法と、第１のパケットのペイロードのプレフィックスとのうちの１つに少なくとも部分的に基づく第２の信号フィールドの繰り返しをさらに備え得る。
【００１７】
[0017]様々な実施形態では、第１の信号フィールドは、即時応答存在および／または持続時間指示を含むことができる。様々な実施形態では、第１の信号フィールドは、送信電力指示を含むことができる。様々な実施形態では、第１の信号フィールドは、部分時間同期機能（ＴＳＦ）を含むことができる。
【００１８】
[0018]様々な実施形態では、第１の信号フィールドは、送信機会（ＴＸＯＰ）帯域幅（ＢＷ）および／または１次チャネルオフセット指示を含むことができる。様々な実施形態では、第１の信号フィールドは、部分基地局識別子（ＢＳＳＩＤ）を含むことができる。様々な実施形態では、第１の信号フィールドは、部分受信機関連付け識別子（ＡＩＤ）を含むことができる。
【００１９】
[0019]様々な実施形態では、第１の信号フィールドは、部分送信機関連付け識別子（ＡＩＤ）を含むことができる。様々な実施形態では、第１の信号フィールドは、アップリンク／ダウンリンク指示を含むことができる。様々な実施形態では、アップリンク／ダウンリンク指示は、送信機または受信機関連付け識別子（ＡＩＤ）中で暗黙的であることがある。
【００２０】
[0020]別の態様は、ワイヤレス通信するように構成された装置を提供する。本装置は、複数のデバイスによって復号可能な第１のプリアンブルと、複数のデバイスのサブセットのみによって復号可能な第２のプリアンブルとを含む第１のパケットを生成するように構成されたプロセッサを含む。第１のプリアンブルは第１の信号フィールドを含む。第２のプリアンブルは第１のトレーニングフィールドを含む。本装置は、本装置以外のワイヤレスデバイスによって送信されるべき１つまたは複数の第２のパケットと同時に、第１のパケットを送信するように構成された送信機をさらに含む。
【００２１】
[0021]様々な実施形態では、送信機は、本装置に割り当てられたフィルチャネル帯域幅サイズまでのチャネル帯域幅上で、第１の信号フィールドを送信するようにさらに構成され得る。様々な実施形態では、送信機は、本装置が１次チャネルを割り当てられない場合、１次チャネルとして指定されたチャネル上で、第１の信号フィールドを送信するようにさらに構成され得る。様々な実施形態では、送信機は、本装置に割り当てられない１つまたは複数のチャネルを含む利用可能なチャネル帯域幅上で、第１の信号フィールドを送信するようにさらに構成され得る。様々な実施形態では、利用可能なチャネル帯域幅は、利用可能なチャネル帯域幅の全体であることがある。
【００２２】
[0022]様々な実施形態では、第１のパケットの長さが、本装置との共通ゾーンに割り当てられた第２のワイヤレスデバイスによって送信されるべき少なくとも１つの第２のパケットの長さよりも短いことがある。プロセッサは、本装置との共通ゾーンに割り当てられた第２のワイヤレスデバイスによって送信されるべき少なくとも１つの第２のパケットのうちの最も長いものの長さに等しい、第１のパケットの長さを示すための第１の信号フィールドを設定するようにさらに構成され得る。様々な実施形態では、プロセッサは、本装置との共通ゾーンに割り当てられた第２のワイヤレスデバイスによって送信されるべき少なくとも１つの第２のパケットのうちの最も長いものの長さに等しくなるように、第１のパケットをパディングするようにさらに構成され得る。
【００２３】
[0023]様々な実施形態では、第１のパケットの長さが、本装置とは異なるゾーンに割り当てられた第２のワイヤレスデバイスによって送信されるべき少なくとも１つの第２のパケットの長さよりも短いことがある。プロセッサは、本装置と共通に割り当てられたゾーンを含む任意のゾーンに割り当てられている第２のワイヤレスデバイスによって送信されるべき少なくとも１つの第２のパケットのうちの最も長いものの長さに等しい、第１のパケットの長さを示すための第１の信号フィールドを設定するようにさらに構成され得る。様々な実施形態では、プロセッサは、本装置と共通に割り当てられたゾーンを含む任意のゾーンに割り当てられている第２のワイヤレスデバイスによって送信されるべき少なくとも１つの第２のパケットのうちの最も長いものの長さに等しくなるように、第１のパケットをパディングするようにさらに構成され得る。
【００２４】
[0024]様々な実施形態では、第１のパケットの長さが、第２のワイヤレスデバイスによって送信されるべき少なくとも１つの第２のパケットの長さよりも短いことがある。プロセッサは、第１のパケットをパディングすることを控えるようにさらに構成され得る。様々な実施形態では、第２のプリアンブルは、第２の信号フィールドをさらに含むことができる。
【００２５】
[0025]様々な実施形態では、第２のプリアンブルは、長さが１シンボルである第２の信号フィールドをさらに含むことができる。様々な実施形態では、第２のプリアンブルは、第１の信号フィールドの完全または部分繰り返しと、第２の信号フィールドとをさらに含むことができる。様々な実施形態では、プロセッサは、第１の信号フィールドの完全または部分繰り返しの極性中の１つまたは複数のビットを符号化するようにさらに構成され得る。
【００２６】
[0026]様々な実施形態では、第２のプリアンブルは、第１の信号フィールドの偶数または奇数トーンの繰り返しと、第２の信号フィールドとをさらに含むことができる。様々な実施形態では、第２のプリアンブルは、第２の信号フィールドと、第２の信号フィールドの繰り返しとをさらに含むことができる。様々な実施形態では、第２のプリアンブルは、第２のトレーニングフィールドをさらに含むことができ、第２のトレーニングフィールドは第１のトレーニングフィールドよりも短い。
【００２７】
[0027]様々な実施形態では、第１のトレーニングフィールドの長さが、本装置との共通ゾーンに割り当てられた第２のワイヤレスデバイスによって送信されるべき少なくとも１つのトレーニングフィールドの長さよりも短いことがある。プロセッサは、本装置との共通ゾーンに割り当てられた第２のワイヤレスデバイスによって送信されるべきすべてのトレーニングフィールドの境界を整合させるように、第１のトレーニングフィールドをパディングするようにさらに構成され得る。
【００２８】
[0028]様々な実施形態では、第１のトレーニングフィールドの長さが、本装置と共通に割り当てられたゾーンを含む任意のゾーンに割り当てられている第２のワイヤレスデバイスによって送信されるべき少なくとも１つのトレーニングフィールドの長さよりも短いことがある。プロセッサは、本装置と共通に割り当てられたゾーンを含む任意のゾーンに割り当てられている第２のワイヤレスデバイスによって送信されるべきすべてのトレーニングフィールドの境界を整合させるように、第１のトレーニングフィールドをパディングするようにさらに構成され得る。
【００２９】
[0029]様々な実施形態では、第１のトレーニングフィールドの長さが、第２のワイヤレスデバイスによって送信されるべき少なくとも１つのトレーニングフィールドの長さよりも短いことがある。プロセッサは、第１のトレーニングフィールドをパディングすることを控えるようにさらに構成され得る。様々な実施形態では、第２のプリアンブルは、第２の信号フィールドをさらに含むことができ、第２の部分の第３の信号フィールドのために使用される保護方法と、第１のトレーニングフィールドのために使用される圧縮方法と、第１のパケットのペイロードのプレフィックスとのうちの１つに少なくとも部分的に基づく第２の信号フィールドの繰り返しをさらに備え得る。
【００３０】
[0030]様々な実施形態では、第１の信号フィールドは、即時応答存在および／または持続時間指示を含むことができる。様々な実施形態では、第１の信号フィールドは、送信電力指示を含むことができる。様々な実施形態では、第１の信号フィールドは、部分時間同期機能（ＴＳＦ）を含むことができる。
【００３１】
[0031]様々な実施形態では、第１の信号フィールドは、送信機会（ＴＸＯＰ）帯域幅（ＢＷ）および／または１次チャネルオフセット指示を含むことができる。様々な実施形態では、第１の信号フィールドは、部分基地局識別子（ＢＳＳＩＤ）を含むことができる。様々な実施形態では、第１の信号フィールドは、部分受信機関連付け識別子（ＡＩＤ）を含むことができる。
【００３２】
[0032]様々な実施形態では、第１の信号フィールドは、部分送信機関連付け識別子（ＡＩＤ）を含むことができる。様々な実施形態では、第１の信号フィールドは、アップリンク／ダウンリンク指示を含むことができる。様々な実施形態では、アップリンク／ダウンリンク指示は、送信機または受信機関連付け識別子（ＡＩＤ）中で暗黙的であることがある。
【００３３】
[0033]別の態様は、ワイヤレス通信のための別の装置を提供する。本装置は、複数のデバイスによって復号可能な第１のプリアンブルと、複数のデバイスのサブセットのみによって復号可能な第２のプリアンブルとを含む第１のパケットを生成するための手段を含む。第１のプリアンブルは第１の信号フィールドを含む。第２のプリアンブルは第１のトレーニングフィールドを含む。本装置は、本装置以外のワイヤレスデバイスによって送信されるべき１つまたは複数の第２のパケットと同時に、第１のパケットを送信するための手段をさらに含む。
【００３４】
[0034]様々な実施形態では、本装置は、本装置に割り当てられたフィルチャネル帯域幅サイズまでのチャネル帯域幅上で、第１の信号フィールドを送信するための手段をさらに含むことができる。様々な実施形態では、本装置は、本装置が１次チャネルを割り当てられない場合、１次チャネルとして指定されたチャネル上で、第１の信号フィールドを送信するための手段をさらに含むことができる。様々な実施形態では、本装置は、本装置に割り当てられない１つまたは複数のチャネルを含む利用可能なチャネル帯域幅上で、第１の信号フィールドを送信するための手段をさらに含むことができる。様々な実施形態では、利用可能なチャネル帯域幅は、利用可能なチャネル帯域幅の全体であることがある。
【００３５】
[0035]様々な実施形態では、第１のパケットの長さが、本装置との共通ゾーンに割り当てられた第２のワイヤレスデバイスによって送信されるべき少なくとも１つの第２のパケットの長さよりも短いことがある。本装置は、本装置との共通ゾーンに割り当てられた第２のワイヤレスデバイスによって送信されるべき少なくとも１つの第２のパケットのうちの最も長いものの長さに等しい、第１のパケットの長さを示すための第１の信号フィールドを設定するための手段をさらに含むことができる。本装置は、本装置との共通ゾーンに割り当てられた第２のワイヤレスデバイスによって送信されるべき少なくとも１つの第２のパケットのうちの最も長いものの長さに等しくなるように、送信のために第１のパケットをパディングするための手段をさらに含むことができる。
【００３６】
[0036]様々な実施形態では、第１のパケットの長さが、本装置とは異なるゾーンに割り当てられた第２のワイヤレスデバイスによって送信されるべき少なくとも１つの第２のパケットの長さよりも短いことがある。本装置は、本装置と共通に割り当てられたゾーンを含む任意のゾーンに割り当てられている第２のワイヤレスデバイスによって送信されるべき少なくとも１つの第２のパケットのうちの最も長いものの長さに等しい、第１のパケットの長さを示すための第１の信号フィールドを設定するための手段をさらに含むことができる。本装置は、本装置と共通に割り当てられたゾーンを含む任意のゾーンに割り当てられている第２のワイヤレスデバイスによって送信されるべき少なくとも１つの第２のパケットのうちの最も長いものの長さに等しくなるように、送信のために第１のパケットをパディングするための手段をさらに含むことができる。
【００３７】
[0037]様々な実施形態では、第１のパケットの長さが、第２のワイヤレスデバイスによって送信されるべき少なくとも１つの第２のパケットの長さよりも短いことがある。本装置は、第１のパケットをパディングすることを控えるための手段をさらに含むことができる。様々な実施形態では、第２のプリアンブルは、第２の信号フィールドをさらに含むことができる。
【００３８】
[0038]様々な実施形態では、第２のプリアンブルは、長さが１シンボルである第２の信号フィールドをさらに含むことができる。様々な実施形態では、第２のプリアンブルは、第１の信号フィールドの完全または部分繰り返しと、第２の信号フィールドとをさらに含むことができる。様々な実施形態では、本装置は、第１の信号フィールドの完全または部分繰り返しの極性中の１つまたは複数のビットを符号化するための手段をさらに含むことができる。
【００３９】
[0039]様々な実施形態では、第２のプリアンブルは、第１の信号フィールドの偶数または奇数トーンの繰り返しと、第２の信号フィールドとをさらに含むことができる。様々な実施形態では、第２のプリアンブルは、第２の信号フィールドと、第２の信号フィールドの繰り返しとをさらに含むことができる。様々な実施形態では、第２のプリアンブルは、第２のトレーニングフィールドをさらに含むことができ、第２のトレーニングフィールドは第１のトレーニングフィールドよりも短い。
【００４０】
[0040]様々な実施形態では、第１のトレーニングフィールドの長さが、本装置との共通ゾーンに割り当てられた第２のワイヤレスデバイスによって送信されるべき少なくとも１つのトレーニングフィールドの長さよりも短いことがある。本装置は、本装置との共通ゾーンに割り当てられた第２のワイヤレスデバイスによって送信されるべきすべてのトレーニングフィールドの境界を整合させるように、第１のトレーニングフィールドをパディングするための手段をさらに含むことができる。
【００４１】
[0041]様々な実施形態では、第１のトレーニングフィールドの長さが、本装置と共通に割り当てられたゾーンを含む任意のゾーンに割り当てられている第２のワイヤレスデバイスによって送信されるべき少なくとも１つのトレーニングフィールドの長さよりも短いことがある。本装置は、本装置と共通に割り当てられたゾーンを含む任意のゾーンに割り当てられている第２のワイヤレスデバイスによって送信されるべきすべてのトレーニングフィールドの境界を整合させるように、第１のトレーニングフィールドをパディングするための手段をさらに含むことができる。
【００４２】
[0042]様々な実施形態では、第１のトレーニングフィールドの長さが、第２のワイヤレスデバイスによって送信されるべき少なくとも１つのトレーニングフィールドの長さよりも短いことがある。本装置は、第１のトレーニングフィールドをパディングすることを控えるための手段をさらに含むことができる。様々な実施形態では、第２のプリアンブルは、第２の信号フィールドをさらに含むことができ、第２の部分の第３の信号フィールドのために使用される保護方法と、第１のトレーニングフィールドのために使用される圧縮方法と、第１のパケットのペイロードのプレフィックスとのうちの１つに少なくとも部分的に基づく第２の信号フィールドの繰り返しをさらに備え得る。
【００４３】
[0043]様々な実施形態では、第１の信号フィールドは、即時応答存在および／または持続時間指示を含むことができる。様々な実施形態では、第１の信号フィールドは、送信電力指示を含むことができる。様々な実施形態では、第１の信号フィールドは、部分時間同期機能（ＴＳＦ）を含むことができる。
【００４４】
[0044]様々な実施形態では、第１の信号フィールドは、送信機会（ＴＸＯＰ）帯域幅（ＢＷ）および／または１次チャネルオフセット指示を含むことができる。様々な実施形態では、第１の信号フィールドは、部分基地局識別子（ＢＳＳＩＤ）を含むことができる。様々な実施形態では、第１の信号フィールドは、部分受信機関連付け識別子（ＡＩＤ）を含むことができる。
【００４５】
[0045]様々な実施形態では、第１の信号フィールドは、部分送信機関連付け識別子（ＡＩＤ）を含むことができる。様々な実施形態では、第１の信号フィールドは、アップリンク／ダウンリンク指示を含むことができる。様々な実施形態では、アップリンク／ダウンリンク指示は、送信機または受信機関連付け識別子（ＡＩＤ）中で暗黙的であり得る。
【００４６】
[0046]別の態様は、非一時的コンピュータ可読媒体を提供する。本媒体は、実行されたとき、装置に、複数のデバイスによって復号可能な第１のプリアンブルと、複数のデバイスのサブセットのみによって復号可能な第２のプリアンブルとを含む第１のパケットを生成させるコードを含む。第１のプリアンブルは第１の信号フィールドを含む。第２のプリアンブルは第１のトレーニングフィールドを含む。本媒体は、実行されたとき、装置に、装置以外のワイヤレスデバイスによって送信されるべき１つまたは複数の第２のパケットと同時に、第１のパケットを送信させるコードをさらに含む。
【００４７】
[0047]様々な実施形態では、装置は、実行されたとき、装置に、装置に割り当てられたフィルチャネル帯域幅サイズまでのチャネル帯域幅上で、第１の信号フィールドを送信させるコードをさらに含むことができる。様々な実施形態では、装置は、実行されたとき、装置に、装置が１次チャネルを割り当てられない場合、１次チャネルとして指定されたチャネル上で、第１の信号フィールドを送信させるコードをさらに含むことができる。様々な実施形態では、装置は、実行されたとき、装置に、装置に割り当てられない１つまたは複数のチャネルを含む利用可能なチャネル帯域幅上で、第１の信号フィールドを送信させるコードをさらに含むことができる。様々な実施形態では、利用可能なチャネル帯域幅は、利用可能なチャネル帯域幅の全体であり得る。
【００４８】
[0048]様々な実施形態では、第１のパケットの長さが、装置との共通ゾーンに割り当てられた第２のワイヤレスデバイスによって送信されるべき少なくとも１つの第２のパケットの長さよりも短いことがある。本媒体は、実行されたとき、装置に、装置との共通ゾーンに割り当てられた第２のワイヤレスデバイスによって送信されるべき少なくとも１つの第２のパケットのうちの最も長いものの長さに等しい、第１のパケットの長さを示すための第１の信号フィールドを設定させるコードをさらに含む。様々な実施形態では、装置は、実行されたとき、装置に、装置との共通ゾーンに割り当てられた第２のワイヤレスデバイスによって送信されるべき少なくとも１つの第２のパケットのうちの最も長いものの長さに等しくなるように、第１のパケットをパディングさせるコードをさらに含むことができる。
【００４９】
[0049]様々な実施形態では、第１のパケットの長さが、装置とは異なるゾーンに割り当てられた第２のワイヤレスデバイスによって送信されるべき少なくとも１つの第２のパケットの長さよりも短いことがある。本媒体は、実行されたとき、装置に、実行されたとき、装置に、装置と共通に割り当てられたゾーンを含む任意のゾーンに割り当てられている第２のワイヤレスデバイスによって送信されるべき少なくとも１つの第２のパケットのうちの最も長いものの長さに等しい、第１のパケットの長さを示すための第１の信号フィールドを設定させるコードをさらに含むことさせるコードをさらに含む。様々な実施形態では、装置は、実行されたとき、装置に、装置と共通に割り当てられたゾーンを含む任意のゾーンに割り当てられている第２のワイヤレスデバイスによって送信されるべき少なくとも１つの第２のパケットのうちの最も長いものの長さに等しくなるように、第１のパケットをパディングさせるコードをさらに含むことができる。
【００５０】
[0050]様々な実施形態では、第１のパケットの長さが、第２のワイヤレスデバイスによって送信されるべき少なくとも１つの第２のパケットの長さよりも短いことがある。本媒体は、実行されたとき、装置に、第１のパケットをパディングすることを控えさせるコードをさらに含む。様々な実施形態では、第２のプリアンブルは、第２の信号フィールドをさらに含むことができる。
【００５１】
[0051]様々な実施形態では、第２のプリアンブルは、長さが１シンボルである第２の信号フィールドをさらに含むことができる。様々な実施形態では、第２のプリアンブルは、第１の信号フィールドの完全または部分繰り返しと、第２の信号フィールドとをさらに含むことができる。様々な実施形態では、本媒体は、実行されたとき、装置に、第１の信号フィールドの完全または部分繰り返しの極性中の１つまたは複数のビットを符号化させるコードをさらに含むことができる。
【００５２】
[0052]様々な実施形態では、第２のプリアンブルは、第１の信号フィールドの偶数または奇数トーンの繰り返しと、第２の信号フィールドとをさらに含むことができる。様々な実施形態では、第２のプリアンブルは、第２の信号フィールドと、第２の信号フィールドの繰り返しとをさらに含むことができる。様々な実施形態では、第２のプリアンブルは、第２のトレーニングフィールドをさらに含むことができ、第２のトレーニングフィールドは第１のトレーニングフィールドよりも短い。
【００５３】
[0053]様々な実施形態では、第１のトレーニングフィールドの長さが、装置との共通ゾーンに割り当てられた第２のワイヤレスデバイスによって送信されるべき少なくとも１つのトレーニングフィールドの長さよりも短いことがある。本媒体は、実行されたとき、装置に、装置との共通ゾーンに割り当てられた第２のワイヤレスデバイスによって送信されるべきすべてのトレーニングフィールドの境界を整合させるように、第１のトレーニングフィールドをパディングさせるコードをさらに含む。
【００５４】
[0054]様々な実施形態では、第１のトレーニングフィールドの長さが、装置と共通に割り当てられたゾーンを含む任意のゾーンに割り当てられている第２のワイヤレスデバイスによって送信されるべき少なくとも１つのトレーニングフィールドの長さよりも短いことがある。本媒体は、実行されたとき、装置に、装置と共通に割り当てられたゾーンを含む任意のゾーンに割り当てられている第２のワイヤレスデバイスによって送信されるべきすべてのトレーニングフィールドの境界を整合させるように、第１のトレーニングフィールドをパディングさせるコードをさらに含む。
【００５５】
[0055]様々な実施形態では、第１のトレーニングフィールドの長さが、第２のワイヤレスデバイスによって送信されるべき少なくとも１つのトレーニングフィールドの長さよりも短いことがある。本媒体は、実行されたとき、装置に、第１のトレーニングフィールドをパディングすることを控えさせるコードをさらに含む。様々な実施形態では、第２のプリアンブルは、第２の信号フィールドをさらに含むことができ、第２の部分の第３の信号フィールドのために使用される保護方法と、第１のトレーニングフィールドのために使用される圧縮方法と、第１のパケットのペイロードのプレフィックスとのうちの１つに少なくとも部分的に基づく第２の信号フィールドの繰り返しをさらに備え得る。
【００５６】
[0056]様々な実施形態では、第１の信号フィールドは、即時応答存在および／または持続時間指示を含むことができる。様々な実施形態では、第１の信号フィールドは、送信電力指示を含むことができる。様々な実施形態では、第１の信号フィールドは、部分時間同期機能（ＴＳＦ）を含むことができる。
【００５７】
[0057]様々な実施形態では、第１の信号フィールドは、送信機会（ＴＸＯＰ）帯域幅（ＢＷ）および／または１次チャネルオフセット指示を含むことができる。様々な実施形態では、第１の信号フィールドは、部分基地局識別子（ＢＳＳＩＤ）を含むことができる。様々な実施形態では、第１の信号フィールドは、部分受信機関連付け識別子（ＡＩＤ）を含むことができる。
【００５８】
[0058]様々な実施形態では、第１の信号フィールドは、部分送信機関連付け識別子（ＡＩＤ）を含むことができる。様々な実施形態では、第１の信号フィールドは、アップリンク／ダウンリンク指示を含むことができる。様々な実施形態では、アップリンク／ダウンリンク指示は、送信機または受信機関連付け識別子（ＡＩＤ）中で暗黙的であることがある。
【図面の簡単な説明】
【００５９】
【図１】[0059]本開示の態様が採用され得るワイヤレス通信システムの一例を示す図。
【図２】[0060]図１のワイヤレス通信システム内で採用され得るワイヤレスデバイスにおいて利用され得る様々な構成要素を示す図。
【図３】[0061]８０２．１１システムのために利用可能なチャネルのためのチャネル割振りを示す図。
【図４】[0062]いくつかの現在存在する米国電気電子技術者協会（ＩＥＥＥ）８０２．１１規格のためのデータパケットフォーマットを示す図。
【図５】いくつかの現在存在する米国電気電子技術者協会（ＩＥＥＥ）８０２．１１規格のためのデータパケットフォーマットを示す図。
【図６】[0063]現在存在するＩＥＥＥ８０２．１１ａｃ規格のためのフレームフォーマットを示す図。
【図７】[0064]後方互換多元接続ワイヤレス通信を可能にするために使用され得る物理レイヤパケットの例示的な構造を示す図。
【図８】[0065]ワイヤレス通信を可能にするために使用され得るアップリンクまたはダウンリンク物理レイヤパケットの例示的な構造を示す図。
【図９Ａ】[0066]ワイヤレス通信を可能にするために使用され得るアップリンク物理レイヤパケットの例示的な構造を示す図。
【図９Ｂ】[0067]ワイヤレス通信を可能にするために使用され得るアップリンク物理レイヤパケットの別の例示的な構造を示す図。
【図９Ｃ】[0068]ワイヤレス通信を可能にするために使用され得るアップリンク物理レイヤパケットの別の例示的な構造を示す図。
【図９Ｄ】[0069]ワイヤレス通信を可能にするために使用され得るアップリンク物理レイヤパケットの別の例示的な構造を示す図。
【図９Ｅ】[0070]ワイヤレス通信を可能にするために使用され得るアップリンク物理レイヤパケットの別の例示的な構造を示す図。
【図１０】[0071]ワイヤレス通信を可能にするために使用され得るアップリンク物理レイヤパケットの別の例示的な構造を示す図。
【図１１】[0072]図１のワイヤレス通信システム内で採用され得るワイヤレス通信の例示的な方法のための別のフローチャート。
【発明を実施するための形態】
【００６０】
[0073]添付の図面を参照しながら、新規のシステム、装置、および方法の様々な態様について以下でより十分に説明する。ただし、開示する教示は、多くの異なる形態で実施され得、本開示全体にわたって提示されるいずれかの特定の構造または機能に限定されるものと解釈されるべきではない。むしろ、これらの態様は、本開示が周到で完全になり、本開示の範囲を当業者に十分に伝えるために与えられる。本明細書の教示に基づいて、本開示の範囲は、本発明の他の態様とは無関係に実装されるにせよ、本発明の他の態様と組み合わせられるにせよ、本明細書で開示する新規のシステム、装置、および方法のいかなる態様をもカバーするものであることを、当業者は諒解されたい。たとえば、本明細書に記載する態様をいくつ使用しても、装置は実装され得、または方法は実施され得る。さらに、本発明の範囲は、本明細書に記載する本発明の様々な態様に加えてまたはそれらの態様以外に、他の構造、機能、または構造および機能を使用して実施されるそのような装置または方法をカバーするものとする。本明細書で開示するいかなる態様も請求項の１つまたは複数の要素によって実施され得ることを理解されたい。
【００６１】
[0074]本明細書では特定の態様について説明するが、これらの態様の多くの変形および置換は本開示の範囲内に入る。好適な態様のいくつかの利益および利点について説明するが、本開示の範囲は特定の利益、使用、または目的に限定されるものではない。むしろ、本開示の態様は、様々なワイヤレス技術、システム構成、ネットワーク、および伝送プロトコルに広く適用可能であるものとし、それらのうちのいくつかを例として、図において、および好適な態様についての以下の説明において示す。発明を実施するための形態および図面は、本開示を限定するものではなく説明するものにすぎず、本開示の範囲は添付の特許請求の範囲およびそれの均等物によって定義される。
【００６２】
[0075]ワイヤレスネットワーク技術は、様々なタイプのワイヤレスローカルエリアネットワーク（ＷＬＡＮ）を含むことができる。ＷＬＡＮは、広く使用されるネットワーキングプロトコルを採用して、近接デバイスを互いに相互接続するために使用され得る。本明細書で説明する様々な態様は、ＷｉＦｉ（登録商標）、またはより一般的には、ワイヤレスプロトコルのＩＥＥＥ８０２．１１ファミリーの任意のメンバーなど、任意の通信規格に適用され得る。たとえば、本明細書で説明する様々な態様は、直交周波数分割多元接続（ＯＦＤＭＡ）通信をサポートする８０２．１１プロトコルなど、ＩＥＥＥ８０２．１１プロトコルの一部として使用され得る。
【００６３】
[0076]局（ＳＴＡ）など、複数のデバイスが同時にＡＰと通信することを可能にすることは有益であり得る。たとえば、これは、複数のＳＴＡがより少ない時間においてＡＰから応答を受信し、より少ない遅延を伴ってＡＰからデータを送信および受信することができるようにすることを可能にすることができる。これはまた、ＡＰが全体的により多くの数のデバイスと通信することを可能にすることができ、また、帯域幅使用をより効率的にすることができる。多元接続通信を使用することによって、ＡＰは、たとえば、８０ＭＨｚ帯域幅上で一度に４つのデバイスに対して、直交周波数分割多重（ＯＦＤＭ）シンボルを多重化することが可能であり得、ここで、各デバイスは２０ＭＨｚ帯域幅を利用する。したがって、多元接続通信は、いくつかの態様では、ＡＰが、ＡＰにとって利用可能なスペクトルをより効率的に使用することを可能にすることができるので、多元接続通信は有益であり得る。
【００６４】
[0077]ＡＰとＳＴＡとの間で送信されるシンボルの異なるサブキャリア（または、トーン）を異なるＳＴＡに割り当てることによって、８０２．１１ファミリーなど、ＯＦＤＭシステム内でそのような多元接続プロトコルを実装することが提案されている。このようにして、ＡＰは、単一の送信されるＯＦＤＭシンボルを用いて複数のＳＴＡと通信し得、ここで、シンボルの異なるトーンが異なるＳＴＡによって復号および処理され、したがって、複数のＳＴＡへの同時データ転送を可能にする。これらのシステムは、ＯＦＤＭＡシステムと呼ばれることがある。
【００６５】
[0078]そのようなトーン割振り方式は、本明細書では「高効率」（ＨＥ：high-efficiency）システムと呼ばれ、そのような複数トーン割振りシステムにおいて送信されるデータパケットは高効率（ＨＥ）パケットと呼ばれることがある。後方互換プリアンブルフィールドを含むそのようなパケットの様々な構造について以下で詳細に説明する。
【００６６】
[0079]添付の図面を参照しながら、新規のシステム、装置、および方法の様々な態様について以下でより十分に説明する。ただし、本開示は、多くの異なる形態で実施され得、本開示全体にわたって提示されるいずれかの特定の構造または機能に限定されるものと解釈されるべきではない。むしろ、これらの態様は、本開示が周到で完全になり、本開示の範囲を当業者に十分に伝えるために与えられる。本明細書の教示に基づいて、本開示の範囲は、本発明の他の態様とは無関係に実装されるにせよ、本発明の他の態様と組み合わせられるにせよ、本明細書で開示する新規のシステム、装置、および方法のいかなる態様をもカバーするものであることを、当業者は諒解されたい。たとえば、本明細書に記載する態様をいくつ使用しても、装置は実装され得、または方法は実施され得る。さらに、本発明の範囲は、本明細書に記載する本発明の様々な態様に加えてまたはそれらの態様以外に、他の構造、機能、または構造および機能を使用して実施されるそのような装置または方法をカバーするものとする。本明細書で開示するいかなる態様も請求項の１つまたは複数の要素によって実施され得ることを理解されたい。
【００６７】
[0080]本明細書では特定の態様について説明するが、これらの態様の多くの変形および置換は本開示の範囲内に入る。好適な態様のいくつかの利益および利点について説明するが、本開示の範囲は特定の利益、使用、または目的に限定されるものではない。むしろ、本開示の態様は、様々なワイヤレス技術、システム構成、ネットワーク、および伝送プロトコルに広く適用可能であるものとし、それらのうちのいくつかを例として、図において、および好適な態様についての以下の説明において示す。発明を実施するための形態および図面は、本開示を限定するものではなく説明するものにすぎず、本開示の範囲は添付の特許請求の範囲およびそれの均等物によって定義される。
【００６８】
[0081]普及しているワイヤレスネットワーク技術は、様々なタイプのワイヤレスローカルエリアネットワーク（ＷＬＡＮ）を含むことができる。ＷＬＡＮは、広く使用されるネットワーキングプロトコルを採用して、近接デバイスを互いに相互接続するために使用され得る。本明細書で説明する様々な態様は、ワイヤレスプロトコルなど、任意の通信規格に適用され得る。
【００６９】
[0082]いくつかの態様では、ワイヤレス信号は８０２．１１プロトコルに従って送信され得る。いくつかの実装形態では、ＷＬＡＮは、ワイヤレスネットワークにアクセスする構成要素である様々なデバイスを含む。たとえば、２つのタイプのデバイス、すなわちアクセスポイント（ＡＰ）および（局またはＳＴＡとも呼ばれる）クライアントがあり得る。概して、ＡＰはＷＬＡＮのためのハブまたは基地局として働くことができ、ＳＴＡはＷＬＡＮのユーザとして働く。たとえば、ＳＴＡはラップトップコンピュータ、携帯情報端末（ＰＤＡ）、モバイルフォンなどであり得る。一例では、ＳＴＡは、インターネットまたは他のワイドエリアネットワークへの一般的接続性を取得するためにＷｉＦｉ準拠ワイヤレスリンクを介してＡＰに接続する。いくつかの実装形態では、ＳＴＡはＡＰとしても使用され得る。
【００７０】
[0083]また、アクセスポイント（ＡＰ）は、基地局、ワイヤレスアクセスポイント、アクセスノードまたは同様の用語を含むか、それらのいずれかとして実装されるか、あるいはそれらのいずれかとして知られていることがある。
【００７１】
[0084]また、局「ＳＴＡ」は、アクセス端末（ＡＴ）、加入者局、加入者ユニット、移動局、リモート局、リモート端末、ユーザ端末、ユーザエージェント、ユーザデバイス、ユーザ機器、または何らかの他の用語を含むか、それらのいずれかとして実装されるか、あるいはそれらのいずれかとして知られていることがある。したがって、本明細書で教示する１つまたは複数の態様は、電話（たとえば、セルラーフォンまたはスマートフォン）、コンピュータ（たとえば、ラップトップ）、ポータブル通信デバイス、ヘッドセット、ポータブルコンピューティングデバイス（たとえば、個人情報端末）、エンターテインメントデバイス（たとえば、音楽またはビデオデバイス、あるいは衛星ラジオ）、ゲームデバイスまたはシステム、全地球測位システムデバイス、あるいはワイヤレス媒体を介したネットワーク通信のために構成された他の好適なデバイスに組み込まれ得る。
【００７２】
[0085]上記で説明したように、本明細書で説明するデバイスのうちのいくつかは、たとえば、８０２．１１規格を実装することができる。そのようなデバイスは、ＳＴＡとして使用されるにせよ、ＡＰとして使用されるにせよ、他のデバイスとして使用されるにせよ、スマートメータリングのためにまたはスマートグリッドネットワークにおいて使用され得る。そのようなデバイスは、センサー適用例を与えるか、またはホームオートメーションにおいて使用され得る。デバイスは、代わりにまたは追加として、ヘルスケアコンテキストにおいて、たとえば、パーソナルヘルスケアのために使用され得る。それらのデバイスはまた、（たとえば、ホットスポットとともに使用するための）拡張された範囲のインターネット接続性を可能にするために、またはマシンツーマシン通信を実装するために、監視のために使用され得る。
【００７３】
[0086]図１に、本開示の態様が採用され得るワイヤレス通信システム１００の一例を示す。ワイヤレス通信システム１００は、ワイヤレス規格、たとえば、８０２．１１ａｈ規格、８０２．１１ａｃ規格、８０２．１１ｎ規格、８０２．１１ｇ規格および８０２．１１ｂ規格のうちの少なくとも１つに従って動作することができる。ワイヤレス通信システム１００は、高効率ワイヤレス規格、たとえば８０２．１１ａｘ規格に従って動作することができる。ワイヤレス通信システム１００は、（本明細書では、総称的に（１つまたは複数の）ＳＴＡ１０６と呼ばれることがある）ＳＴＡ１０６Ａ〜１０６Ｄと通信するＡＰ１０４を含むことができる。
【００７４】
[0087]様々なプロセスおよび方法は、ＡＰ１０４とＳＴＡ１０６Ａ〜１０６Ｄとの間の、ワイヤレス通信システム１００における送信のために使用され得る。たとえば、信号は、ＯＦＤＭ／ＯＦＤＭＡ技法に従って、ＡＰ１０４とＳＴＡ１０６Ａ〜１０６Ｄとの間で送信および受信され得る。そうである場合、ワイヤレス通信システム１００はＯＦＤＭ／ＯＦＤＭＡシステムと呼ばれることがある。代替的に、信号は、符号分割多元接続（ＣＤＭＡ）技法に従って、ＡＰ１０４とＳＴＡ１０６Ａ〜１０６Ｄとの間で送信および受信され得る。そうである場合、ワイヤレス通信システム１００はＣＤＭＡシステムと呼ばれることがある。
【００７５】
[0088]ＡＰ１０４からＳＴＡ１０６Ａ〜１０６Ｄのうちの１つまたは複数への送信を可能にする通信リンクはダウンリンク（ＤＬ）１０８と呼ばれることがあり、ＳＴＡ１０６Ａ〜１０６Ｄのうちの１つまたは複数からＡＰ１０４への送信を可能にする通信リンクはアップリンク（ＵＬ）１１０と呼ばれることがある。代替的に、ダウンリンク１０８は順方向リンクまたは順方向チャネルと呼ばれることがあり、アップリンク１１０は逆方向リンクまたは逆方向チャネルと呼ばれることがある。
【００７６】
[0089]ＡＰ１０４は、基地局として働き、基本サービスエリア（ＢＳＡ）１０２においてワイヤレス通信カバレージを与えることができる。ＡＰ１０４は、ＡＰ１０４に関連付けられ、通信のためにＡＰ１０４を使用するＳＴＡ１０６Ａ〜１０６Ｄとともに、基本サービスセット（ＢＳＳ）と呼ばれることがある。ワイヤレス通信システム１００は、中央ＡＰ１０４を有しないことがあり、むしろ、ＳＴＡ１０６Ａ〜１０６Ｄ間のピアツーピアネットワークとして機能することができることに留意されたい。したがって、本明細書で説明するＡＰ１０４の機能は、代替的にＳＴＡ１０６Ａ〜１０６Ｄのうちの１つまたは複数によって実行され得る。
【００７７】
[0090]いくつかの態様では、ＳＴＡ１０６は、ＡＰ１０４に通信を送るために、および／またはＡＰ１０４から通信を受信するために、ＡＰ１０４に関連付けることが必要とされ得る。一態様では、関連付けるための情報は、ＡＰ１０４によるブロードキャスト中に含まれる。そのようなブロードキャストを受信するために、ＳＴＡ１０６は、たとえば、カバレージ領域にわたって広カバレージ探索を実行することができる。また、探索は、ＳＴＡ１０６が、たとえば、灯台方式でカバレージ領域を掃引することによって実行され得る。関連付けるための情報を受信した後に、ＳＴＡ１０６は、関連付けプローブまたは要求などの基準信号をＡＰ１０４に送信することができる。いくつかの態様では、ＡＰ１０４は、たとえば、インターネットまたは公衆交換電話網（ＰＳＴＮ）などのより大きいネットワークと通信するために、バックホールサービスを使用することができる。
【００７８】
[0091]一実施形態では、ＡＰ１０４は、ＡＰ高効率ワイヤレスコントローラ（ＨＥＷ）１５４を含む。ＡＰ  ＨＥＷ１５４は、８０２．１１プロトコルを使用して、ＡＰ１０４とＳＴＡ１０６Ａ〜１０６Ｄとの間の通信を可能にするために、本明細書で説明する動作の一部または全部を実行することができる。ＡＰ  ＨＥＷ１５４の機能について、図４〜図２０に関して以下でより詳細に説明する。
【００７９】
[0092]代替的にまたは追加として、ＳＴＡ１０６Ａ〜１０６Ｄは、ＳＴＡ  ＨＥＷ１５６を含むことができる。ＳＴＡ  ＨＥＷ１５６は、８０２．１１プロトコルを使用して、ＳＴＡ１０６Ａ〜１０６ＤとＡＰ１０４との間の通信を可能にするために、本明細書で説明する動作の一部または全部を実行することができる。ＳＴＡ  ＨＥＷ１５６の機能について、図２〜図１１に関して以下でより詳細に説明する。
【００８０】
[0093]図２に、図１のワイヤレス通信システム１００内で採用され得るワイヤレスデバイス２０２において利用され得る様々な構成要素を示す。ワイヤレスデバイス２０２は、本明細書で説明する様々な方法を実装するように構成され得るデバイスの一例である。たとえば、ワイヤレスデバイス２０２は、ＡＰ１０４を含むか、またはＳＴＡ１０６Ａ〜１０６Ｄのうちの１つを含むことができる。
【００８１】
[0094]ワイヤレスデバイス２０２は、ワイヤレスデバイス２０２の動作を制御するプロセッサ２０４を含むことができる。プロセッサ２０４は中央処理ユニット（ＣＰＵ）またはハードウェアプロセッサと呼ばれることもある。読取り専用メモリ（ＲＯＭ）とランダムアクセスメモリ（ＲＡＭ）の両方を含むことができるメモリ２０６は、プロセッサ２０４に命令とデータとを与える。メモリ２０６の一部分は不揮発性ランダムアクセスメモリ（ＮＶＲＡＭ）をも含むことができる。プロセッサ２０４は、一般に、メモリ２０６内に記憶されたプログラム命令に基づいて論理演算と算術演算とを実行する。メモリ２０６中の命令は、本明細書で説明する方法を実装するように実行可能であり得る。
【００８２】
[0095]プロセッサ２０４は、１つまたは複数のプロセッサを用いて実装された処理システムを含むか、またはそれの構成要素であり得る。１つまたは複数のプロセッサは、汎用マイクロプロセッサ、マイクロコントローラ、デジタル信号プロセッサ（ＤＳＰ）、フィールドプログラマブルゲートアレイ（ＦＰＧＡ）、プログラマブル論理デバイス（ＰＬＤ）、コントローラ、状態機械、ゲート論理、個別ハードウェア構成要素、専用ハードウェア有限状態機械、あるいは情報の計算または他の操作を実行することができる任意の他の好適なエンティティの任意の組合せを用いて実装され得る。プロセッサ２０４、またはプロセッサ２０４およびメモリ２０６は、以下でより詳細に説明され得るように、パケットタイプフィールド中の値を含むパケットを生成し、パケットタイプフィールド中の値に少なくとも部分的に基づいて、複数の後続のフィールドの各々にパケットの複数のビットを割り振るために利用され得る、図１のパケット生成器１２４に対応することができる。
【００８３】
[0096]処理システムは、ソフトウェアを記憶するための非一時的機械可読媒体をも含むことができる。ソフトウェアは、ソフトウェア、ファームウェア、ミドルウェア、マイクロコード、ハードウェア記述言語などの名称にかかわらず、任意のタイプの命令を意味すると広く解釈されたい。命令は、（たとえば、ソースコード形式、バイナリコード形式、実行可能コード形式、またはコードの任意の他の好適な形式の）コードを含むことができる。命令は、１つまたは複数のプロセッサによって実行されたとき、本明細書で説明する様々な機能を処理システムに実行させる。
【００８４】
[0097]ワイヤレスデバイス２０２はまた、ワイヤレスデバイス２０２と遠隔ロケーションとの間のデータの送信および受信を可能にするために送信機２１０と受信機２１２とを含むことができるハウジング２０８を含むことができる。送信機２１０と受信機２１２とは組み合わせられてトランシーバ２１４になり得る。アンテナ２１６は、ハウジング２０８に取り付けられ、トランシーバ２１４に電気的に結合され得る。ワイヤレスデバイス２０２はまた、たとえば、多入力多出力（ＭＩＭＯ）通信中に利用され得る、複数の送信機、複数の受信機、複数のトランシーバ、および／または複数のアンテナを含むことができる（図示せず）。
【００８５】
[0098]ワイヤレスデバイス２０２は、トランシーバ２１４によって受信された信号のレベルを検出し、定量化するために使用され得る信号検出器２１８をも含むことができる。信号検出器２１８は、そのような信号を、総エネルギー、シンボルごとのサブキャリア当たりのエネルギー、電力スペクトル密度および他の信号として検出することができる。ワイヤレスデバイス２０２は、信号を処理する際に使用するためのデジタル信号プロセッサ（ＤＳＰ）２２０をも含むことができる。ＤＳＰ２２０は、送信のためにデータユニットを生成するように構成され得る。いくつかの態様では、データユニットは物理レイヤデータユニット（ＰＰＤＵ）を含むことができる。いくつかの態様では、ＰＰＤＵはパケットと呼ばれる。
【００８６】
[0099]ワイヤレスデバイス２０２は、いくつかの態様ではユーザインターフェース２２２をさらに含むことができる。ユーザインターフェース２２２は、キーパッド、マイクロフォン、スピーカー、および／またはディスプレイを含むことができる。ユーザインターフェース２２２は、ワイヤレスデバイス２０２のユーザに情報を伝達し、および／またはユーザからの入力を受信する、任意の要素または構成要素を含むことができる。
【００８７】
[00100]ワイヤレスデバイス２０２の様々な構成要素は、バスシステム２２６によって互いに結合され得る。バスシステム２２６は、たとえば、データバスを含むことができ、ならびに、データバスに加えて、電力バス、制御信号バス、およびステータス信号バスを含むことができる。ワイヤレスデバイス２０２の構成要素は、何らかの他の機構を使用して、互いに結合されるか、あるいは互いに対する入力を受け付けるかまたは与え得ることを、当業者は諒解することができる。
【００８８】
[00101]図２には、いくつかの別個の構成要素が示されているが、構成要素のうちの１つまたは複数が組み合わせられるか、または共通に実装され得ることを、当業者は認識することができる。たとえば、プロセッサ２０４は、プロセッサ２０４に関して上記で説明した機能を実装するためだけでなく、信号検出器２１８および／またはＤＳＰ２２０に関して上記で説明した機能を実装するためにも使用され得る。さらに、図２に示された構成要素の各々は、複数の別個の要素を使用して実装され得る。
【００８９】
[00102]上記で説明したように、ワイヤレスデバイス２０２は、ＡＰ１０４またはＳＴＡ１０６Ａ〜１０６Ｄのうちの１つを含むことができ、通信を送信および／または受信するために使用され得る。ワイヤレスネットワークにおけるデバイス間で交換される通信は、パケットまたはフレームを含むことができるデータユニットを含むことができる。いくつかの態様では、データユニットは、データフレーム、制御フレーム、および／または管理フレームを含むことができる。データフレームは、ＡＰおよび／またはＳＴＡから他のＡＰおよび／またはＳＴＡにデータを送信するために使用され得る。制御フレームは、様々な動作を実行するために、およびデータを確実に配信するために、データフレームとともに使用され得る（たとえば、データの受信を肯定応答すること、ＡＰのポーリング、エリアクリアリング動作、チャネル取得、キャリア検知維持機能など）。管理フレームは、（たとえば、ワイヤレスネットワークに加わり、そのネットワークから離れるなどのための）様々な監視機能のために使用され得る。
【００９０】
[00103]図３に、８０２．１１システムのために利用可能なチャネルのためのチャネル割振りを示す。様々なＩＥＥＥ８０２．１１システムは、５ＭＨｚチャネル、１０ＭＨｚチャネル、２０ＭＨｚチャネル、４０ＭＨｚチャネル、８０ＭＨｚチャネル、および１６０ＭＨｚチャネルなど、いくつかの異なるサイズのチャネルをサポートする。たとえば、８０２．１１ａｃデバイスは、２０ＭＨｚチャネル、４０ＭＨｚチャネル、および８０ＭＨｚチャネル帯域幅の受信および送信をサポートすることができる。より大きいチャネルが、２つの隣接する、より小さいチャネルを含むことができる。たとえば、８０ＭＨｚチャネルは２つの隣接する４０ＭＨｚチャネルを含むことができる。現在実装されているＩＥＥＥ８０２．１１システムでは、２０ＭＨｚチャネルは、３１２．５ｋＨｚだけ互いから分離された、６４個のサブキャリアを含んでいる。これらのサブキャリアのうちの、より少ない数のサブキャリアが、データを搬送するために使用され得る。たとえば、２０ＭＨｚチャネルは、−１〜−２８、および１〜２８の番号を付けられた送信サブキャリア、すなわち５６個のサブキャリアを含んでいることがある。これらのキャリアのうちのいくつかはまた、パイロット信号を送信するために使用され得る。
【００９１】
[00104]図４および図５に、いくつかの現在存在するＩＥＥＥ８０２．１１規格のためのデータパケットフォーマットを示す。まず図４を参照すると、ＩＥＥＥ８０２．１１ａ、１１ｂ、および１１ｇのためのパケットフォーマットが示されている。このフレームは、ショートトレーニングフィールド４２２と、ロングトレーニングフィールド４２４と、信号フィールド４２６とを含む。トレーニングフィールドはデータを送信しないが、トレーニングフィールドは、データフィールド４２８中のデータを復号するためにＡＰと受信ＳＴＡとの間の同期を可能にする。
【００９２】
[00105]信号フィールド４２６は、配信されているパケットの性質に関する情報をＡＰからＳＴＡに配信する。ＩＥＥＥ８０２．１１ａ／ｂ／ｇデバイスでは、この信号フィールドは、２４ビットの長さを有し、２位相シフトキーイング（ＢＰＳＫ）変調および１／２のコードレートを使用して、６Ｍｂ／ｓのレートで単一のＯＦＤＭシンボルとして送信される。信号（ＳＩＧ）フィールド４２６中の情報は、パケット中のデータの変調方式（たとえば、ＢＰＳＫ、１６ＱＡＭ、６４ＱＡＭなど）を記述する４ビットと、パケット長のための１２ビットとを含む。この情報は、パケットがＳＴＡを対象とするとき、そのパケット中のデータを復号するためにＳＴＡによって使用される。パケットが特定のＳＴＡを対象としないとき、ＳＴＡは、ＳＩＧシンボル４２６の長さフィールド中で定義された時間期間中に、いずれの通信試行をも延期することができ、電力を節約するために、最高約５．５ミリ秒のパケット期間中に、スリープモードに入ることができる。
【００９３】
[00106]ＩＥＥＥ８０２．１１に特徴が追加されたので、データパケット中のＳＩＧフィールドのフォーマットに対する変更が、ＳＴＡに追加の情報を与えるために開発された。図５に、ＩＥＥＥ８０２．１１ｎパケットのためのパケット構造を示す。ＩＥＥＥ８０２．１１規格への１１ｎの追加は、ＩＥＥＥ８０２．１１互換デバイスにＭＩＭＯ機能を追加した。ＩＥＥＥ８０２．１１ａ／ｂ／ｇデバイスとＩＥＥＥ８０２．１１ｎデバイスの両方を含んでいるシステムに後方互換性を与えるために、ＩＥＥＥ８０２．１１ｎシステムのためのデータパケットは、「レガシー」フィールドであることを示すためのプレフィックスＬをつけて、Ｌ−ＳＴＦ  ４２２、Ｌ−ＬＴＦ４２４、およびＬ−ＳＩＧ  ４２６として言及される、これらの早期のシステムのＳＴＦフィールド、ＬＴＦフィールド、およびＳＩＧフィールドをも含む。ＩＥＥＥ８０２．１１ｎ環境において必要な情報をＳＴＡに与えるために、２つの追加の信号シンボル４４０および４４２がＩＥＥＥ８０２．１１ｎデータパケットに追加された。しかしながら、ＳＩＧフィールドおよびＬ−ＳＩＧフィールド４２６とは対照的に、これらの信号フィールドは（ＱＢＰＳＫ変調とも呼ばれる）回転されたＢＰＳＫ変調を使用した。ＩＥＥＥ８０２．１１ａ／ｂ／ｇと動作するように構成されたレガシーデバイスがそのようなパケットを受信するとき、そのレガシーデバイスは、通常の１１／ｂ／ｇパケットとして、Ｌ−ＳＩＧフィールド４２６を受信および復号することができる。しかしながら、デバイスが追加のビットを復号し続けると、それらのビットは、Ｌ−ＳＩＧフィールド４２６の後のデータパケットのフォーマットが１１／ｂ／ｇパケットのフォーマットとは異なるので、正常に復号されないことがあり、このプロセス中にそのデバイスによって実行されるＣＲＣ検査は失敗することがある。これにより、これらのレガシーデバイスは、そのパケットの処理を停止するが、当初復号されたＬ−ＳＩＧ中の長さフィールドによって定義された時間期間が経過するまで、いずれのさらなる動作をも依然として延期する。対照的に、ＩＥＥＥ８０２．１１ｎとの互換性がある新しいデバイスは、ＨＴ−ＳＩＧフィールドにおける回転変調を検知し、そのパケットを８０２．１１ｎパケットとして処理することになる。さらに、１１ｎデバイスが、Ｌ−ＳＩＧ  ４２６に続くシンボル中でＱＢＰＳＫ以外の変調を検知した場合、１１ｎデバイスは１１／ｂ／ｇパケットとしてそのパケットを無視することができるので、１１ｎデバイスはパケットが１１／ｂ／ｇデバイスを対象とすることを見分けることができる。ＨＴ−ＳＩＧ１およびＳＩＧ２シンボルの後に、ＭＩＭＯ通信に好適な追加のトレーニングフィールドと、後続のデータ４２８とが与えられる。
【００９４】
[00107]図６に、現在存在するＩＥＥＥ８０２．１１ａｃ規格のためのフレームフォーマットを示し、それは、ＩＥＥＥ８０２．１１ファミリーにマルチユーザＭＩＭＯ機能を追加した。ＩＥＥＥ８０２．１１ｎと同様に、８０２．１１ａｃフレームは、同じレガシーショートトレーニングフィールド（Ｌ−ＳＴＦ）４２２とレガシーロングトレーニングフィールド（Ｌ−ＬＴＦ）４２４とを含んでいる。８０２．１１ａｃフレームはまた、上記で説明したレガシー信号フィールドＬ−ＳＩＧ  ４２６を含んでいる。
【００９５】
[00108]次に、８０２．１１ａｃフレームは、長さが２シンボルの超高スループット信号（ＶＨＴ−ＳＩＧ−Ａ１  ４５０およびＡ２  ４５２）フィールドを含む。この信号フィールドは、１１／ｂ／ｇデバイスおよび１１ｎデバイス中に存在しない１１ａｃ特徴に関する追加の構成情報を与える。ＶＨＴ−ＳＩＧ−Ａの第１のＯＦＤＭシンボル４５０は、パケットをリッスンする８０２．１１ｎデバイスが、パケットが８０２．１１ａパケットであると考えることができ、Ｌ−ＳＩＧ  ４２６の長さフィールドにおいて定義されているパケット長の持続時間の間、パケットに対して延期することができるように、ＢＰＳＫを使用して変調され得る。１１／ｇに従って構成されたデバイスは、Ｌ−ＳＩＧ  ４２６フィールドに続くサービスフィールドおよびメディアアクセス制御（ＭＡＣ）ヘッダを予想していることがある。それらのデバイスがこれを復号することを試みるとき、１１ｎパケットが１１ａ／ｂ／ｇデバイスによって受信されたときの手順と同様の様式でＣＲＣ失敗が発生することがあり、１１／ｂ／ｇデバイスはまた、Ｌ−ＳＩＧフィールド４２６において定義された期間の間延期することがある。ＶＨＴ−ＳＩＧ−Ａの第２のシンボル４５２は９０度回転されたＢＰＳＫで変調される。この回転された第２のシンボルは、８０２．１１ａｃデバイスがそのパケットを８０２．１１ａｃパケットとして識別することを可能にする。ＶＨＴ−ＳＩＧＡ１  ４５０およびＡ２  ４５２フィールドは、帯域幅モードに関する情報、単一ユーザの場合の変調およびコーディング方式（ＭＣＳ）に関する情報、時空間ストリームの数（ＮＳＴＳ）に関する情報、および他の情報を含んでいる。ＶＨＴ−ＳＩＧＡ１  ４５０およびＡ２  ４５２はまた、「１」に設定された、いくつかの予約済みビットを含んでいることがある。レガシーフィールドならびにＶＨＴ−ＳＩＧＡ１およびＡ２フィールドは、利用可能な帯域幅の各２０ＭＨｚ上で複製され得る。本明細書で説明するように、複製は、厳密なコピーを行うこと、または厳密なコピーであることを意味するために構築され得るが、フィールドなどが複製されたとき、いくつかの差が存在し得る。
【００９６】
[00109]ＶＨＴ−ＳＩＧ−Ａの後に、８０２．１１ａｃパケットは、多入力多出力（ＭＩＭＯ）送信における自動利得制御推定を改善するように構成されたＶＨＴ−ＳＴＦを含んでいることがある。８０２．１１ａｃパケットの次の１〜８つのフィールドはＶＨＴ−ＬＴＦであることがある。これらは、ＭＩＭＯチャネルを推定し、次いで、受信信号を等化するために使用され得る。送られるＶＨＴ−ＬＴＦの数は、ユーザごとの空間ストリームの数よりも大きいかまたはそれに等しいことがある。最終的に、データフィールドの前のプリアンブル中の最後のフィールドはＶＨＴ−ＳＩＧ−Ｂ４５４である。このフィールドはＢＰＳＫ変調され、パケット中の有用なデータの長さに関する情報を与え、マルチユーザ（ＭＵ）ＭＩＭＯパケットの場合、ＭＣＳを与える。シングルユーザ（ＳＵ）の場合、このＭＣＳ情報は、代わりに、ＶＨＴ−ＳＩＧＡ２中に含まれている。ＶＨＴ−ＳＩＧ−Ｂに続いて、データシンボルが送信される。
【００９７】
[00110]８０２．１１ａｃは様々な新しい特徴を８０２．１１ファミリーに導入し、１１／ｇ／ｎデバイスとの後方互換性があったプリアンブル設計をもつデータパケットを含み、また、１１ａｃの新しい特徴を実装するのに必要な情報を与えたが、多元接続のためのＯＦＤＭＡトーン割振りのための構成情報は１１ａｃデータパケット設計によって与えられない。ＩＥＥＥ８０２．１１、またはＯＦＤＭサブキャリアを使用する他のワイヤレスネットワークプロトコルの何らかの将来のバージョンにおいて、そのような特徴を実装するために新しいプリアンブル構成が望まれる。
【００９８】
[00111]図７に、後方互換多元接続ワイヤレス通信を可能にするために使用され得る物理レイヤパケットの例示的な構造を示す。この例示的な物理レイヤパケットには、Ｌ−ＳＴＦ  ４２２と、Ｌ−ＬＴＦ  ４２６と、Ｌ−ＳＩＧ  ４２６とを含むレガシープリアンブルが含まれる。様々な実施形態では、Ｌ−ＳＴＦ  ４２２、Ｌ−ＬＴＦ  ４２６、およびＬ−ＳＩＧ  ４２６の各々は、２０ＭＨｚを使用して送信され得、複数のコピーが、ＡＰ１０４（図１）が使用する２０ＭＨｚのスペクトルごとに送信され得る。当業者は、図示された物理レイヤパケットが追加のフィールドを含むことができること、フィールドが並べ替えられ、除去され、および／またはリサイズされ得ること、ならびにフィールドの内容が変更され得ることを諒解することができる。このパケットはまた、ＨＥ−ＳＩＧ０シンボル４５５と、（長さが可変であり得る）１つまたは複数のＨＥ−ＳＩＧ１Ａシンボル４５７と、（図４のＶＨＴ−ＳＩＧ１Ｂフィールド４５４に類似することがある）随意のＨＥ−ＳＩＧ１Ｂシンボル４５９とを含んでいる。様々な実施形態では、これらのフィールドの構造は、ＩＥＥＥ８０２．１１ａ／ｂ／ｇ／ｎ／ａｃデバイスとの後方互換性があることがあり、パケットがＨＥパケットであることをＯＦＤＭＡ  ＨＥデバイスにシグナリングすることもある。ＩＥＥＥ８０２．１１ａ／ｂ／ｇ／ｎ／ａｃデバイスとの後方互換性があるように、これらのシンボルの各々に関して適切な変調が使用され得る。いくつかの実装形態では、ＨＥ−ＳＩＧ０フィールド４５５はＢＰＳＫ変調で変調され得る。これは、同じくそれらの第１のＳＩＧシンボルをＢＰＳＫ変調させた８０２．１１ａｃパケットの現在の事例と同じ影響を、８０２．１１ａ／ｂ／ｇ／ｎデバイスに対して有することがある。これらのデバイスの場合、後続のＨＥ−ＳＩＧシンボル４５７に対する変調が何であるかは問題ではない。様々な実施形態では、ＨＥ−ＳＩＧ０フィールド４５５は、複数のチャネルにわたって変調され、繰り返され得る。
【００９９】
[00112]様々な実施形態では、ＨＥ−ＳＩＧ１Ａフィールド４５７は、ＢＰＳＫまたはＱＢＰＳＫ変調され得る。ＢＰＳＫ変調された場合、１１ａｃデバイスは、そのパケットが８０２．１１ａ／ｂ／ｇパケットであると仮定することができ、そのパケットを処理することを停止することができ、Ｌ−ＳＩＧ  ４２６の長さフィールドによって定義された時間の間、延期することができる。ＱＢＰＳＫ変調された場合、８０２．１１ａｃデバイスは、プリアンブル処理中にＣＲＣエラーを生成することがあり、また、そのパケットを処理することを停止することができ、Ｌ−ＳＩＧの長さフィールドによって定義された時間の間、延期することができる。これがＨＥパケットであることをＨＥデバイスにシグナリングするために、ＨＥ−ＳＩＧ１Ａ  ４５７の少なくとも第１のシンボルがＱＢＰＳＫ変調され得る。
【０１００】
[00113]ＯＦＤＭＡ多元接続通信を確立するために必要な情報は、ＨＥ−ＳＩＧフィールド４５５、４５７、および４５９中で様々な位置に配置され得る。様々な実施形態では、ＨＥ−ＳＩＧ０  ４５５は、持続時間指示と、（たとえば、２ビットであり得る）帯域幅指示と、（たとえば、３ビットであり得る）ＢＳＳカラーＩＤと、（たとえば、１ビットフラグであり得る）ＵＬ／ＤＬ指示と、（たとえば、４ビットであり得る）巡回冗長検査（ＣＲＣ）と、（たとえば、２ビットであり得る）クリアチャネルアセスメント（ＣＣＡ）指示とのうちの１つまたは複数を含むことができる。
【０１０１】
[00114]様々な実施形態では、ＨＥ−ＳＩＧ１フィールド４５７は、ＯＦＤＭＡ動作のためのトーン割振り情報を含むことができる。図７の例は、４人の異なるユーザに、トーンの特定のサブバンドと、特定の数のＭＩＭＯ時空間ストリームとがそれぞれ割り当てられることを可能にすることができる。様々な実施形態では、１２ビットの時空間ストリーム情報は、１〜８つのストリームが各々に割り当てられ得るように、４人のユーザの各々について３ビットを可能にする。１６ビットの変調タイプデータは、４人のユーザの各々について４ビットを可能にし、４人のユーザの各々への、１６個の異なる変調方式（１６ＱＡＭ、６４ＱＡＭなど）のうちのいずれか１つの割当てを可能にする。１２ビットのトーン割振りデータは、特定のサブバンドが４人のユーザの各々に割り当てられることを可能にする。
【０１０２】
[00115]（本明細書ではサブチャネルとも呼ぶ）サブバンド割振りのための１つの例示的なＳＩＧフィールド方式は、４人のユーザの各々にサブバンドトーンを割り振るために、６ビットグループＩＤフィールドならびに１０ビットの情報を含む。パケットを配信するために使用される帯域幅は、何らかの数のＭＨｚの倍数単位でＳＴＡに割り振られ得る。たとえば、帯域幅は、Ｂ  ＭＨｚの倍数単位でＳＴＡに割り振られ得る。Ｂの値は、１、２、５、１０、１５、または２０ＭＨｚなどの値であり得る。Ｂの値は、２ビット割振りグラニュラリティフィールド（granularity field）によって与えられ得る。たとえば、ＨＥ−ＳＩＧ１Ａ  ４５７は、４つの可能なＢの値を可能にする、１つの２ビットフィールドを含んでいることがある。たとえば、Ｂの値は、割振りグラニュラリティフィールド中の０〜３の値に対応する、５、１０、１５、または２０ＭＨｚであり得る。いくつかの態様では、０からＮまでの数を定義するｋビットのフィールドが、Ｂの値をシグナリングするために使用され得、ここで、０は柔軟性が最も低いオプション（最大グラニュラリティ）を表し、Ｎの高い値は柔軟性が最も高いオプション（最小グラニュラリティ）を表す。各Ｂ  ＭＨｚ部分はサブバンドと呼ばれることがある。
【０１０３】
[00116]ＨＥ−ＳＩＧ１Ａ  ４５７はさらに、各ＳＴＡに割り振られるサブバンドの数を示すために、ユーザごとに２ビットを使用することができる。これは、０〜３つのサブバンドが各ユーザに割り振られることを可能にすることができる。ＯＦＤＭＡパケット中のデータを受信することができるＳＴＡを識別するために、グループｉｄ（Ｇ＿ＩＤ）が使用され得る。この６ビットＧ＿ＩＤは、この例では、特定の順序で、最高４つのＳＴＡを識別することができる。
【０１０４】
[00117]ＨＥ−ＳＩＧシンボルの後に送られるトレーニングフィールドおよびデータは、各ＳＴＡに割り振られたトーンに従ってＡＰによって配信され得る。この情報は、潜在的にビームフォーミングされ得る。この情報をビームフォーミングすることは、ビームフォーミングされない送信よりも、より正確な復号を可能にすること、および／またはより大きな範囲を与えることなど、いくつかの利点を有することができる。
【０１０５】
[00118]各ユーザに割り当てられた時空間ストリームに応じて、異なるユーザは異なる数のＨＥ−ＬＴＦ  ４６５を使用することができる。各ＳＴＡは、そのＳＴＡに関連付けられた各空間ストリームについてのチャネル推定を可能にする数のＨＥ−ＬＴＦ  ４６５を使用することができ、これは、一般に、空間ストリームの数に等しいかまたはそれよりも大きいことがある。ＬＴＦはまた、周波数オフセット推定および時間同期のために使用され得る。異なるＳＴＡが異なる数のＨＥ−ＬＴＦを受信することがあるので、あるトーン上にＨＥ−ＬＴＦ情報と、他のトーン上にデータとを含んでいるシンボルがＡＰ１０４（図１）から送信され得る。
【０１０６】
[00119]いくつかの態様では、同じＯＦＤＭシンボル上でＨＥ−ＬＴＦ情報とデータの両方を送ることは問題があることがある。たとえば、これはピーク対平均電力比（ＰＡＰＲ）をあまりに高いレベルに増加させることがある。したがって、代わりに、各ＳＴＡが少なくとも必要とされる数のＨＥ−ＬＴＦ  ４６５を受信するまで、送信されるシンボルのすべてのトーン上でＨＥ−ＬＴＦ  ４６５を送信することは有益であり得る。たとえば、各ＳＴＡは、ＳＴＡに関連付けられた空間ストリームごとに１つのＨＥ−ＬＴＦ  ４６５を受信する必要があることがある。したがって、ＡＰは、ＳＴＡに割り当てられた空間ストリームの最大数に等しい数のＨＥ−ＬＴＦ  ４６５を各ＳＴＡに送信するように構成され得る。たとえば、３つのＳＴＡに単一の空間ストリームが割り当てられたが、第４のＳＴＡには３つの空間ストリームが割り当てられた場合、この態様では、ＡＰは、ペイロードデータを含んでいるシンボルを送信する前に、ＨＥ−ＬＴＦ情報の４つのシンボルを４つのＳＴＡの各々に送信するように構成され得る。
【０１０７】
[00120]所与のＳＴＡに割り当てられたトーンが隣接することは必要でない。たとえば、いくつかの実装形態では、異なる受信ＳＴＡのサブバンドはインターリーブされ得る。たとえば、ユーザ１およびユーザ２の各々は３つのサブバンドを受信するが、ユーザ４は２つのサブバンドを受信する場合、これらのサブバンドはＡＰ帯域幅全体にわたってインターリーブされ得る。たとえば、これらのサブバンドは、１、２、４、１、２、４、１、２などの順序でインターリーブされ得る。いくつかの態様では、サブバンドをインターリーブする他の方法が使用され得る。いくつかの態様では、サブバンドをインターリーブすることは、干渉の悪影響または特定のサブバンド上の特定のデバイスからの受信不良の影響を低減することができる。いくつかの態様では、ＡＰは、ＳＴＡが選好するサブバンド上でＳＴＡに送信することができる。たとえば、いくつかのＳＴＡは、他のサブバンド中でよりも、いくつかのサブバンド中でより良好な受信を有することがある。したがって、ＡＰは、ＳＴＡがどのサブバンド上でより良好な受信を有することができるかに少なくとも部分的に基づいて、ＳＴＡに送信することができる。いくつかの態様では、サブバンドはインターリーブされないこともある。たとえば、サブバンドは、代わりに、１、１、１、２、２、２、４、４として送信され得る。いくつかの態様では、サブバンドがインターリーブされるか否かはあらかじめ定義され得る。
【０１０８】
[00121]図７の例では、パケットがＨＥパケットであることをＨＥデバイスにシグナリングするために、ＨＥ−ＳＩＧ０  ４５５シンボル変調が使用され得る。パケットがＨＥパケットであることをＨＥデバイスにシグナリングする他の方法も使用され得る。図７の例では、Ｌ−ＳＩＧ  ４２６は、ＨＥプリアンブルがレガシープリアンブルに続くことがあることをＨＥデバイスに指示する情報を含んでいることがある。たとえば、Ｌ−ＳＩＧ  ４２６は、Ｌ−ＳＩＧ  ４２６中のＱ信号に反応するＨＥデバイスに後続のＨＥプリアンブルの存在を示す、低エネルギーの１ビットコードをＱレール（Q-rail）上に含んでいることがある。単一ビット信号が、パケットを送信するためにＡＰによって使用されるすべてのトーンにわたって拡散され得るので、極めて低い振幅のＱ信号が使用され得る。このコードは、ＨＥプリアンブル／パケットの存在を検出するために高効率デバイスによって使用され得る。レガシーデバイスのＬ−ＳＩＧ  ４２６検出感度は、Ｑレール上のこの低エネルギーコードによって著しく影響を及ぼされる必要がない。したがって、これらのデバイスは、Ｌ−ＳＩＧ  ４２６を読み取ることが可能であり、コードの存在に気づかないことがあるが、ＨＥデバイスはコードの存在を検出することが可能であり得る。この実装形態では、所望される場合、ＨＥ−ＳＩＧフィールドのすべてがＢＰＳＫ変調され得、このＬ−ＳＩＧシグナリングとともに、レガシー互換性に関して本明細書で説明する技法のいずれかが使用され得る。
【０１０９】
[00122]様々な実施形態では、任意のＨＥ−ＳＩＧフィールド４５５〜４５９が、多重化されたユーザごとのユーザ固有変調タイプを定義するビットを含んでいることがある。たとえば、随意のＨＥ−ＳＩＧ１Ｂ  ４５９フィールドが、多重化されたユーザごとのユーザ固有変調タイプを定義するビットを含んでいることがある。
【０１１０】
[00123]いくつかの態様では、たとえば８０２．１１ａｘプロトコル従って、ワイヤレス信号が低レート（ＬＲ）モードで送信され得る。詳細には、いくつかの実施形態では、ＡＰ１０４は、ＳＴＡ１０６と比較して、より大きい送信電力能力を有することがある。いくつかの実施形態では、たとえば、ＳＴＡ１０６は、ＡＰ１０４よりも数ｄＢ低いｄＢにおいて送信することができる。したがって、ＡＰ１０４からＳＴＡ１０６へのＤＬ通信は、ＳＴＡ１０６からＡＰ１０４へのＵＬ通信よりも高い範囲を有することができる。リンクバジェットを閉じるために、ＬＲモードが使用され得る。いくつかの実施形態では、ＬＲモードは、ＤＬ通信とＵＬ通信の両方において使用され得る。他の実施態様において、ＬＲモードは、ＵＬ通信のためにのみ使用される。
【０１１１】
[00124]いくつかの実施形態では、ＨＥＷ  ＳＴＡ１０６は、レガシーＳＴＡのシンボル持続時間の４倍のシンボル持続時間を使用して通信することができる。したがって、送信される各シンボルは、持続時間が４倍長いことがある。より長いシンボル持続時間を使用するとき、個々のトーンの各々は、送信されるべき帯域幅の１／４程度のみを必要とし得る。たとえば、様々な実施形態では、１ｘシンボル持続時間は４ｍｓであり得、４ｘシンボル持続時間は１６ｍｓであり得る。したがって、様々な実施形態では、１ｘシンボルは本明細書ではレガシーシンボルと呼ばれることがあり、４ｘシンボルはＨＥＷシンボルと呼ばれることがある。他の実施形態では、異なる持続時間が可能である。
【０１１２】
[00125]図８に、ワイヤレス通信を可能にするために使用され得るアップリンクまたはダウンリンク物理レイヤパケット８００の例示的な構造を示す。図示の実施形態では、物理レイヤパケット８００は、Ｌ−ＳＴＦ  ４２２、Ｌ−ＬＴＦ  ４２６、およびＬ−ＳＩＧ  ４２６を含むレガシープリアンブル８０５と、ＨＥ−ＳＩＧ０  ８１５、ＨＥ−ＳＴＦ  ８２０、ＨＥ−ＬＴＦ  ８２５、およびＨＥ−ＳＩＧ１  ８３０を含むＨＥプリアンブル８１０と、ペイロード８３５とを含む。当業者は、図示された物理レイヤパケット８００が追加のフィールドを含むことができること、フィールドが並べ替えられ、除去され、および／またはリサイズされ得ること、ならびにフィールドの内容が変更され得ることを諒解されよう。
【０１１３】
[00126]本開示のいくつかの態様は、同じＰＰＤＵにおける周波数領域においてＭＵ−ＭＩＭＯ技法とＯＦＤＭＡ技法とを混合することをサポートする。いくつかの実施形態では、ＰＰＤＵ帯域幅の第１の部分が、少なくともＭＵ−ＭＩＭＯ送信およびＯＦＤＭＡ送信のうちの１つとして送信され得る。ＰＰＤＵ帯域幅の第２の部分が、少なくともＭＵ−ＭＩＭＯ送信およびＯＦＤＭＡ送信のうちの１つとして送信され得る。様々な実施形態では、各部分は「ゾーン」と呼ばれることがある。したがって、様々な実施形態では、第１および第２の部分は、ＭＵ−ＭＩＭＯ／ＯＦＤＭＡ、ＭＵ−ＭＩＭＯ／ＭＵ−ＭＩＭＯ、ＯＦＤＭＡ／ＯＦＤＭＡ、およびＯＦＤＭＡ／ＯＦＤＭＡなど、任意の組合せを含むことができる。
【０１１４】
[00127]いくつかの実施形態では、ＰＰＤＵ帯域幅は、３つ以上の部分またはゾーンを含むことができる。いくつかの実施形態では、ＰＰＤＵ帯域幅は、単一のゾーンまたは最大２つのゾーンに限定され得る。たとえば、図８は、ＭＵ−ＭＩＭＯゾーン８４０とＯＦＤＭＡゾーン８４５とを含む２ゾーン構成を示している。これらの実施形態では、ＭＵ−ＭＩＭＯ送信またはＯＦＤＭＡ送信は、ＡＰから複数のＳＴＡに同時に送られることがあり、ワイヤレス通信における効率をもたらすことができる。２つのゾーン８４０および８４５が図８に示されているが、当業者は、他の組合せが本開示の範囲内で可能であることを諒解されよう。
【０１１５】
[00128]様々な実施形態では、Ｌ−ＳＴＦ  ４２２、Ｌ−ＬＴＦ  ４２６、およびＬ−ＳＩＧ  ４２６の各々は、２０ＭＨｚを使用して送信され得、複数のコピーが、ＡＰ１０４（図１）が使用する２０ＭＨｚのスペクトルごとに送信され得る。ＨＥ−ＳＩＧ０  ８１５、ＨＥ−ＳＴＦ  ８２０、ＨＥ−ＬＴＦ  ８２５、ＨＥ−ＳＩＧ１  ８３０、およびペイロード８３５の任意の組合せが、１人または複数のＯＦＤＭＡユーザの各々のために送信され得る。図示の実施形態では、２人のユーザ１〜２が、図示された４０ＭＨｚ帯域幅を共有し、４０ＭＨｚ帯域幅の一部分が、どのユーザにも割り当てられない。一実施形態、ユーザ１はＳＴＡ１０６Ａ（図１）に対応することができ、ユーザ２はＳＴＡ１０６Ｂ（図１）に対応することができる。
【０１１６】
[00129]パケット８００は本明細書では単一のパケットと呼ばれるが、様々な実施形態では、各ゾーンに関連付けられた送信、または代替的に各ユーザに関連付けられた送信は、別個のパケットと呼ばれることがある。パケット８００はＵＬおよびＤＬ送信のために使用され得るが、本明細書ではＵＬ送信についてより詳細に説明する。当業者は、ＳＴＡ１０６からＡＰ１０４へのＵＬ送信に関係する説明が、ＡＰ１０４からＳＴＡ１０６へのＤＬ送信にも適用され得ることを諒解されよう。
【０１１７】
[00130]図示の実施形態では、パケット８００は、１ｘシンボル持続時間を使用する。他の実施形態では、４ｘシンボル持続時間は、たとえば、ＨＥプリアンブル８１０および／またはペイロード８３５の任意の部分など、パケット８００の少なくとも一部分のために使用され得る。図示の実施形態では、Ｌ−ＳＴＦ  ４２２は８μｓ（すなわち、２つの１ｘシンボル）長であり、Ｌ−ＬＴＦ４２４は８μｓ（すなわち、２つの１ｘシンボル）長であり、Ｌ−ＳＩＧ  ４２６は４μｓ（すなわち、１つの１ｘシンボル）長であり、ＨＥ−ＳＩＧ０  ８１５は４μｓ（すなわち、１つの１ｘシンボル）長〜８μｓ（すなわち、２つの１ｘシンボル）長であり、ＨＥ−ＳＴＦ  ８２０は４μｓ（すなわち、１つの１ｘシンボル）長〜８μｓ（すなわち、２つの１ｘシンボル）長であり、ＨＥ−ＬＴＦ  ８２５は、ペイロード８３５の送信のために使用される空間ストリームの数（ＮＳＳ）に依存し得る可変長である。
【０１１８】
レガシープリアンブルの複製
[00131]一実施形態では、パケット８００はＵＬパケットである。１つのＵＬ実施形態では、ＳＴＡは、それが割り当てられたチャネル全体、レガシープリアンブル８０５を送信するように構成され得る。たとえば、ＳＴＡユーザ１は、ＳＴＡユーザ１が２０ＭＨｚチャネル全体を割り当てられない実施形態でも、図８に示されている上側２０ＭＨｚチャネル上でレガシープリアンブル８０５を送信することができる。同様に、ＳＴＡユーザ２は、ＳＴＡユーザ２が２０ＭＨｚチャネル全体を割り当てられない実施形態でも、図８に示されている下側２０ＭＨｚチャネル上でレガシープリアンブル８０５を送信することができる。そのような実施形態は、有利には、送信の帯域幅を減少させることによって、送信を簡略化することができる。
【０１１９】
[00132]一実施形態では、ＳＴＡは、それが割り当てられたゾーン全体上で、レガシープリアンブル８０５を送信するように構成され得る。たとえば、ＳＴＡユーザ１は、ＭＵ−ＭＩＭＯゾーン８４０全体上で、レガシープリアンブル８０５を送信することができる。同様に、ＳＴＡユーザ２は、それがゾーン全体を割り当てられないにもかかわらず、ＯＦＤＭＡゾーン８４５全体上で、レガシープリアンブル８０５を送信することができる。
【０１２０】
[00133]一実施形態では、ＳＴＡは、ＳＴＡユーザ１が割り当てられない帯域幅を含む、利用可能な帯域幅全体上で、レガシープリアンブル８０５を送信するように構成され得る。たとえば、ＳＴＡユーザ１は、ＭＵ−ＭＩＭＯゾーン８４０とＯＦＤＭＡゾーン８４５の両方を含む、図示された４０ＭＨｚ帯域幅全体上で、レガシープリアンブル８０５を送信することができる。同様に、ＳＴＡユーザ２は、ＭＵ−ＭＩＭＯゾーン８４０とＯＦＤＭＡゾーン８４５の両方を含む、図示された４０ＭＨｚ帯域幅全体上で、レガシープリアンブル８０５を送信することができる。
【０１２１】
[00134]一実施形態では、ＳＴＡは、それに割り当てられたチャネル全体に加えて、ＳＴＡが１次チャネルを割り当てられない場合、１次チャネル上で、レガシープリアンブル８０５を送信するように構成され得る。たとえば、図８に示されている上側２０ＭＨｚチャネルが１次チャネルであると仮定する。ＳＴＡユーザ１は、ＳＴＡユーザ１が２０ＭＨｚチャネル全体を割り当てられない実施形態でも、図８に示されている上側２０ＭＨｚチャネル上でレガシープリアンブル８０５を送信することができる。一方、ＳＴＡユーザ２は１次チャネルに割り当てられないので、ＳＴＡユーザ２は、ＭＵ−ＭＩＭＯゾーン８４０とＯＦＤＭＡゾーン８４５の両方を含む、図示された４０ＭＨｚ帯域幅全体上で、レガシープリアンブル８０５を送信することができる。そのような実施形態は、有利には、どのＳＴＡも１次チャネルに割り当てられない場合でも、利用可能な帯域幅全体上でレガシープリアンブル８０５が送信されることを保証することができる。
【０１２２】
[00135]一実施形態では、あるチャネルまたは帯域幅「上で」のデータの送信は、チャネルまたは帯域幅を構成する複数のサブチャネル中でデータを複製することを含む。たとえば、ＳＴＡユーザ１は、図示された４０ＭＨｚ帯域幅の上側２０ＭＨｚサブバンドと下側２０ＭＨｚサブバンドの両方の中で、レガシープリアンブル８０５を別々に変調することができる。別の実施形態では、あるチャネルまたは帯域幅「上で」のデータの送信は、チャネルまたは帯域幅に関してデータの組み合わせられた変調を含む。たとえば、ＳＴＡユーザ２は、図示された４０ＭＨｚ帯域幅全体を、単一のＯＦＤＭＡチャネルとして扱うことができる。
【０１２３】
Ｌ−ＳＩＧ長さフィールド
[00136]いくつかの実施形態では、異なるユーザが、異なるフレーム長を有することができる。たとえば、ＳＴＡユーザ１は、ＳＴＡユーザ２よりも多くのデータ８３５を有することができ、またはＳＴＡユーザ１のためのＨＥ−ＬＴＦ  ８２５は、ＳＴＡユーザ２のためのＨＥ−ＬＴＦ  ８２５よりも長くなり得る（たとえば、ここで、ユーザ１はユーザ２よりも多くの空間ストリームを割り当てられる）。
【０１２４】
[00137]一実施形態では、ＳＴＡユーザ１のためのＬ−ＳＩＧ  ４２６は、ＳＴＡユーザ２のためのＬ−ＳＩＧ  ４２６とは異なり得、ここで、ユーザ１のためのフレーム長は、ユーザ２のためのフレーム長とは異なる。たとえば、Ｌ−ＳＩＧ  ４２６は、ＳＴＡユーザ１およびＳＴＡユーザ２について、異なるフレーム長を示す長さフィールドを含むことができる。
【０１２５】
[00138]一実施形態では、Ｌ−ＳＩＧ  ４２６は、フレーム長がゾーン内のユーザについて異なる場合でも、各ゾーンについて同じであり得る。たとえば、各ゾーンのためのＬ−ＳＩＧ  ４２６は、ゾーン中の各ユーザのためのフレーム長のうちの最大値に設定された長さフィールドを含むことができる。フレーム長がゾーン間で異なる場合、ＳＩＧ４２６は、ゾーン間で異なり得る。たとえば、Ｌ−ＳＩＧ  ４２６は、ＯＦＤＭＡゾーン８４５のためのフレーム長とは異なる、ＭＵ−ＭＩＭＯゾーン８４０のためのフレーム長を示す長さフィールドを含むことができる。
【０１２６】
[00139]一実施形態では、Ｌ−ＳＩＧ  ４２６は、フレーム長がユーザ間で異なる場合でも、すべてのユーザおよびゾーンにわたって同じであり得る。たとえば、Ｌ−ＳＩＧ  ４２６は、各ユーザのためのフレーム長のうちの最大値に設定された長さフィールドを含むことができる。そのような実施形態は、有利には、レガシープリアンブル８０５のための送信電力を増加させることができる。いくつかの実施形態では、１つまたは複数のフィールドが、長さフィールドの値までパディングされる。たとえば、ＳＴＡユーザ１のためのペイロード８３５は、ＳＴＡユーザ２のためのペイロード８３５よりも小さいことがあり、ＳＴＡユーザ２のためのペイロード８３５に一致するパディングされ得る。
【０１２７】
ＨＥ−ＳＩＧ０フィールド
[00140]一実施形態では、パケット８００は、ＨＥ−ＳＩＧ０フィールド９１５を省略し、それにより、オーバーヘッドを低減することができる。別の実施形態では、パケット８００は、ＨＥ−ＳＩＧ０フィールド８１５を含む。ＨＥ−ＳＩＧ０フィールド８２０を含むことは、有利には、たとえば、パケットがそれにアドレス指定されていない第三者デバイスに（たとえば、ＤＬ／ＵＬモード、ＳＵ／ＵＬモード、ＭＵ−ＯＦＤＭＡモード、ＢＳＳカラーＩＤなどの）追加情報を搬送することができる。図９Ａ〜図９Ｅに、図８のＨＥ−ＳＩＧ０  ８１５を含む様々な例示的なパケット構成を示す。
【０１２８】
[00141]様々な実施形態では、ＨＥ−ＳＩＧ０フィールド８１５は、完全または部分ＢＳＳカラーＩＤを含むことができる。いくつかの実施形態では、部分ＢＳＳＩＤは、ＡＰ１０４のＢＳＳＩＤ  ＭＡＣアドレスのハッシュ、あるいは一意にまたは擬似一意にＡＰ１０４に関連付けられた別の数を含むことができる。部分ＢＳＳＩＤは、たとえば、高密度ネットワークにおける再利用を制御するために、使用され得る。したがって、部分ＢＳＳＩＤに関連付けられたＳＴＡは、イントラＢＳＳ隠れノードを回避するために、パケット検出（ＰＤ：packet detection）レベルにおいて延期することができる。重複基本サービスセット（ＯＢＳＳ）ＳＴＡは、エネルギー検出（ＥＤ：energy detection）レベルにおいて延期し、それにより、再利用を改善することができる。その上、部分ＢＳＳＩＤは、干渉源識別を可能にすることができ、これは、いくつかの実施形態では、ＴＸＯＰ再利用を可能にすることができる。さらに、ＳＴＡは、いくつかの実施形態では受信機関連付けＩＤ（ＡＩＤ）および／またはＵＬ／ＤＬ指示と組み合わせて、部分ＢＳＳＩＤに基づいて省電力モードに入ることができる。
【０１２９】
[00142]様々な実施形態では、ＨＥ−ＳＩＧ０フィールド８１５は、完全または部分受信機ＡＩＤを含むことができる。たとえば、部分受信機ＡＩＤは、受信機ＡＩＤのトランケートまたはハッシングされたバージョンを含むことができる。ＳＴＡ１０６は、パケットがＳＴＡ１０６にアドレス指定されていないと決定したとき、省電力モードに入るために、完全または部分受信機ＡＩＤを使用することができる。その上、ＳＴＡ１０６は、いくつかの実施形態では、ＴＸＯＰ再利用のために、完全または部分受信機ＡＩＤを使用することができる。
【０１３０】
[00143]様々な実施形態では、ＨＥ−ＳＩＧ０フィールド８１５は、完全または部分送信機ＡＩＤを含むことができる。たとえば、部分送信機ＡＩＤは、送信機ＡＩＤのトランケートまたはハッシングされたバージョンを含むことができる。ＳＴＡ１０６は、干渉源識別を取得するために、完全または部分送信機ＡＩＤを使用することができる。その上、ＳＴＡ１０６は、いくつかの実施形態では、ＴＸＯＰ再利用のために、完全または部分送信機ＡＩＤを使用することができる。
【０１３１】
[00144]様々な実施形態では、ＨＥ−ＳＩＧ０フィールド８１５は、ＵＬ／ＤＬ指示を含むことができる。いくつかの実施形態では、ＵＬ／ＤＬ指示は、ＨＥ−ＳＩＧ０フィールド８１５上のＡＩＤ（送信機または受信機）指示中で暗黙的であり得る。たとえば、完全または部分送信機ＡＩＤがＨＥ−ＳＩＧ０フィールド８１５中に含まれるとき、ＵＬが示され得る。完全または部分受信機ＡＩＤがＨＥ−ＳＩＧ０フィールド８１５中に含まれるとき、ＤＬが示され得る（または、いくつかの実施形態では、その逆も同様である）。ＳＴＡ１０６は、パケットがＳＴＡ１０６にアドレス指定されていない（またはＳＴＡ１０６から予想されない）と決定したとき、省電力モードに入るために、ＵＬ／ＤＬ指示を使用することができる。その上、ＳＴＡ１０６は、ＵＬ／ＤＬスケジューリングにおける干渉源識別のために、ＵＬ／ＤＬ指示を使用することができる。
【０１３２】
[00145]様々な実施形態では、ＨＥ−ＳＩＧ０フィールド８１５は、即時応答存在／持続時間指示を含むことができる。いくつかの実施形態では、即時応答存在／持続時間指示は、たとえば、拡張フレーム間スペース（ＥＩＦＳ）または応答指示延期（ＲＩＤ：response indication deferral）など、延期時間を示すことができる。たとえば、即時応答存在／持続時間指示は、応答が要求されるか否かを示すフラグを含むことができる。応答が示されたとき、標準延期時間が適用され得る。他の実施形態では、即時応答存在／持続時間指示は、２またはそれ以上のビット長であり得る。そのような実施形態では、即時応答存在／持続時間指示は、ビット値にマッピングすることができる特定の延期持続時間を識別することができる。いくつかの実施形態では、最小延期持続時間は、ショートフレーム間スペース（ＳＩＦＳ）＋最小ヘッダ持続時間であり得る。
【０１３３】
[00146]様々な実施形態では、ＨＥ−ＳＩＧ０フィールド８１５は、送信電力指示を含むことができる。たとえば、送信電力指示は、１つまたは複数の送信電力にマッピングする１つまたは複数のビットを含むことができる。受信ＳＴＡは、送信機会（ＴＸＯＰ）再利用のために、および／または高度適応ＣＣＡルールのために、送信電力指示を適用することができる。
【０１３４】
[00147]いくつかの実施形態では、ＨＥ−ＳＩＧ０フィールド８１５は、同期情報を含むことができる。たとえば、ＨＥ−ＳＩＧ０フィールド８１５は、同期ポイントを確立するために、完全または部分時間同期機能（ＴＳＦ）を示すことができる。いくつかの実施形態では、部分ＴＳＦは、ハッシングまたはトランケートされたＴＳＦを含むことができる。
【０１３５】
[00148]いくつかの実施形態では、ＨＥ−ＳＩＧ０フィールド８１５は、ＴＸＯＰ帯域幅（ＢＷ）および／または１次チャネルオフセット指示を含むことができる。いくつかの実施形態では、ＳＴＡ１０６は、ＴＸＯＰ再利用のために、ＴＸＯＰ  ＢＷ指示を使用することができる。たとえば、サードパーティ受信機が、ｔＴＸＯＰ  ＢＷおよび／または１次チャネルオフセットに基づいて、ＴＸＯＰにおける利用されるチャネルを識別することによって、空いている２次チャネル中で送信すべきか否かを決定することができる。
【０１３６】
[00149]図９Ａに、ワイヤレス通信を可能にするために使用され得るアップリンク物理レイヤパケット９００Ａの例示的な構造を示す。図示の実施形態では、物理レイヤパケット９００Ａは、Ｌ−ＳＴＦ  ４２２と、Ｌ−ＬＴＦ  ４２６と、Ｌ−ＳＩＧ  ４２６と、繰り返しＬ−ＳＩＧ（ＲＬ−ＳＩＧ）９１０と、ＨＥ−ＳＩＧ０  ８１５と、ＨＥ−ＳＴＦ  ８２０と、ＨＥ−ＬＴＦ  ８２５と、ＨＥ−ＳＩＧ１  ８３０と、ペイロード８３５とを含む。当業者は、図示された物理レイヤパケット８００が追加のフィールドを含むことができること、フィールドが並べ替えられ、除去され、および／またはリサイズされ得ること、ならびにフィールドの内容が変更され得ることを諒解されよう。
【０１３７】
[00150]図示の実施形態では、ＲＬ−ＳＩＧ９１０は、Ｌ−ＳＩＧ  ４２６の全体または部分繰り返しを含む。たとえば、一実施形態では、ＲＬ−ＳＩＧ９１０は、Ｌ−ＳＩＧ  ４２６の偶数トーンの繰り返しを含むことができる。一実施形態では、ＲＬ−ＳＩＧ９１０は、Ｌ−ＳＩＧ  ４２６の奇数トーンの繰り返しを含むことができる。一実施形態では、ＲＬ−ＳＩＧ９１０は、Ｌ−ＳＩＧ  ４２６のＸ個のトーンごとの繰り返しを含むことができ、ここで、Ｘは、Ｌ−ＳＩＧ  ４２６のためのシンボル持続時間とＲＬ−ＳＩＧ９１０のためのシンボル持続時間との比である。一実施形態では、ＨＥ−ＳＩＧ０  ８１５は、４μｓ＋ガードインターバル（ＧＩ）である。
【０１３８】
[00151]様々な実施形態では、ＳＴＡ１０６は、繰り返しシンボルの極性中のＨＥ−ＳＩＧ情報を符号化することができる。たとえば、１を符号化するために、ＳＴＡ１０６は、Ｌ−ＳＩＧ  ４２６中の繰り返しビットに−１を乗算することができ、０を符号化するために、ＳＴＡ１０６は、Ｌ−ＳＩＧ  ４２６中の繰り返しビットに１を乗算することができる、などである。様々な実施形態では、正および負の繰り返し極性は、それぞれ、０および１を表すことができる。他の実施形態では、異なる符号化が可能である。一実施形態では、情報ビット［０，１］が変調ビット［１，−１］になることに留意されたい。シンボルの極性を変更することは、［０，１］の代わりにシンボルに＋−１を乗算することを意味する。
【０１３９】
[00152]図９Ｂに、ワイヤレス通信を可能にするために使用され得るアップリンク物理レイヤパケット９００Ｂの別の例示的な構造を示す。図示の実施形態では、物理レイヤパケット９００Ｂは、Ｌ−ＳＴＦ  ４２２と、Ｌ−ＬＴＦ  ４２６と、Ｌ−ＳＩＧ  ４２６と、ＨＥ−ＳＩＧ０  ８１５と、繰り返しＨＥ−ＳＩＧ０（ＲＨＥ−ＳＩＧ０）９１５と、ＨＥ−ＳＩＧ０Ｂ９２０と、ＨＥ−ＳＴＦ  ８２０と、ＨＥ−ＬＴＦ  ８２５と、ＨＥ−ＳＩＧ１  ８３０と、ペイロード８３５とを含む。当業者は、図示された物理レイヤパケット８００が追加のフィールドを含むことができること、フィールドが並べ替えられ、除去され、および／またはリサイズされ得ること、ならびにフィールドの内容が変更され得ることを諒解されよう。たとえば、いくつかの実施形態では、ＨＥ−ＳＩＧ０Ｂ９２０は省略され得る。
【０１４０】
[00153]図示の実施形態では、ＲＨＥ−ＳＩＧ０  ９１５は、ＨＥ−ＳＩＧ０  ８１５の全体または部分繰り返しを含む。たとえば、一実施形態では、ＲＨＥ−ＳＩＧ０  ９１５は、ＨＥ−ＳＩＧ０  ８１５の偶数トーンの繰り返しを含むことができる。一実施形態では、ＲＨＥ−ＳＩＧ０  ９１５は、ＨＥ−ＳＩＧ０  ８１５の奇数トーンの繰り返しを含むことができる。一実施形態では、ＲＨＥ−ＳＩＧ０  ９１５は、ＨＥ−ＳＩＧ０  ８１５のＸ個のトーンごとの繰り返しを含むことができ、ここで、Ｘは、ＨＥ−ＳＩＧ０  ８１５のためのシンボル持続時間とＲＨＥ−ＳＩＧ０  ９１５のためのシンボル持続時間との比である。一実施形態では、ＨＥ−ＳＩＧ０Ｂ９２０は、４μｓ＋ガードインターバル（ＧＩ）である。
【０１４１】
[00154]様々な実施形態では、ＳＴＡ１０６は、繰り返しシンボルの極性中のＨＥ−ＳＩＧ情報を符号化することができる。たとえば、１を符号化するために、ＳＴＡ１０６は、ＨＥ−ＳＩＧ０  ８１５中の繰り返しビットに−１を乗算することができ、０を符号化するために、ＳＴＡ１０６は、ＨＥ−ＳＩＧ０  ８１５中の繰り返しビットに１を乗算することができる、などである。様々な実施形態では、正および負の繰り返し極性は、それぞれ、０および１を表すことができる。他の実施形態では、異なる符号化が可能である。一実施形態では、情報ビット［０，１］が変調ビット［１，−１］になることに留意されたい。シンボルの極性を変更することは、［０，１］の代わりにシンボルに＋−１を乗算することを意味する。
【０１４２】
[00155]図９Ｃに、ワイヤレス通信を可能にするために使用され得るアップリンク物理レイヤパケット９００Ｃの別の例示的な構造を示す。図示の実施形態では、物理レイヤパケット９００Ｃは、Ｌ−ＳＴＦ  ４２２と、Ｌ−ＬＴＦ  ４２６と、Ｌ−ＳＩＧ  ４２６と、ＨＥ−ＳＩＧ０  ８１５と、ＨＥ−ＳＴＦ  ８２０と、ＨＥ−ＬＴＦ  ８２５と、ＨＥ−ＳＩＧ１  ８３０と、ペイロード８３５とを含む。当業者は、図示された物理レイヤパケット８００が追加のフィールドを含むことができること、フィールドが並べ替えられ、除去され、および／またはリサイズされ得ること、ならびにフィールドの内容が変更され得ることを諒解されよう。図示の実施形態では、ＨＥ−ＳＩＧ０  ８１５は、４μｓ長である。
【０１４３】
[00156]図９Ｄに、ワイヤレス通信を可能にするために使用され得るアップリンク物理レイヤパケット９００Ｄの別の例示的な構造を示す。図示の実施形態では、物理レイヤパケット９００Ｄは、Ｌ−ＳＴＦ  ４２２と、Ｌ−ＬＴＦ４２４と、Ｌ−ＳＩＧ  ４２６と、ＲＬ−ＳＩＧ９１０と、ＨＥ−ＳＩＧ０  ８１５と、繰り返しＨＥ−ＳＩＧ０（ＲＨＥ−ＳＩＧ０）９１５と、ＨＥ−ＳＩＧ０Ｂ９２０と、ＨＥ−ＳＴＦ  ８２０と、ＨＥ−ＬＴＦ  ８２５と、ペイロード８３５とを含む。当業者は、図示された物理レイヤパケット９００Ｄが追加のフィールドを含むことができること、フィールドが並べ替えられ、除去され、および／またはリサイズされ得ること、ならびにフィールドの内容が変更され得ることを諒解されよう。たとえば、様々な実施形態では、ＨＥ−ＳＩＧ０Ｂ９２０またはＨＥ−ＳＴＦ  ８２０は、異なる長さであり得る。
【０１４４】
[00157]図示の実施形態では、ＲＨＥ−ＳＩＧ０  ９１５は、ＨＥ−ＳＩＧ０  ８１５の全体または部分繰り返しを含む。図９Ｂに関して上記で説明したように、ＲＨＥ−ＳＩＧ０  ９１５は、偶数または奇数トーンの繰り返し、あるいは、Ｘ個のトーンごとの繰り返しを含むことができる。様々な実施形態では、ＲＨＥ−ＳＩＧ０  ９１５は４μｓである。ＲＨＥ−ＳＩＧ０  ９１５の使用は、より良く保護されたまたはよりロバストなパケット９００Ｄを供給し得るが、ワイヤレス通信における追加のオーバーヘッドも与え得る。ＲＨＥ−ＳＩＧ０  ９１５がパケット９００Ｄ中に存在するか否かは、様々なファクタに依存し得る。たとえば、ＲＨＥ−ＳＩＧ０  ９１５の存在は、以下の、ＨＥ−ＳＩＧＢ０  ９２０の変調およびコーディング方式と、ＨＥ−ＳＩＧＢ０  ９２０がロングＧＩを備えるかどうかと、ＨＥ−ＳＩＧＢ０  ９２０がショートＧＩを備えるかどうかと、ＨＥ−ＬＦＴ８２５が圧縮されないかどうかと、ＨＥ−ＬＦＴ８２５が圧縮されるかどうかと、ＨＥ−ＬＦＴ８２５の圧縮ファクタと、ペイロード８３５がＣＰを備えるかどうかと、ペイロード８３５のＣＰの長さとのうちの少なくとも１つに依存し得る。
【０１４５】
[00158]ＨＥ−ＳＩＧＢ０  ９２０は、サイクリックプレフィックス（ＣＰ）またはガードインターバル（ＧＩ）を備え得る。ＣＰまたはＧＩの存在は、より良く保護されたまたはよりロバストなパケット９００Ｄを供給し得るが、ワイヤレス通信における追加のオーバーヘッドも与え得る。ＨＥ−ＳＩＧＢ０  ９２０は、これらの理由で長さが変動し得、いくつかの実施形態では、ＨＥ−ＳＩＧＢ０  ９２０は、長さが５または６シンボルであり得る。いくつかの実施形態では、ＨＥ−ＳＩＧＢ０  ９２０は、ショートＧＩを備える。他の実施形態では、ＨＥ−ＳＩＧＢ０  ９２０は、ロングＧＩを備える。また、ＨＥ−ＳＩＧＢ０  ９２０に使用される変調およびコーディング方式（ＭＣＳ）は変動し得る。どのＭＣＳが使用されるかは、ＨＥ−ＳＩＧＢ０  ９２０のＧＩの存在または長さに基づき得る。いくつかの例示的な実施形態では、ＭＣＳ０が利用される。他の例示的な実施形態では、ＭＣＳ１０が利用される。
【０１４６】
[00159]ＨＥ−ＬＦＴ８２５は、圧縮されることも圧縮されないこともある。圧縮されないＨＥ−ＬＦＴ８２５は、より良く保護されたまたはよりロバストなパケット９００Ｄを供給し得るが、ワイヤレス通信における追加のオーバーヘッドも与え得る。したがって、いくつかの実施形態では、ＨＥ−ＬＦＴ８２５は圧縮されない。他の実施形態では、ＨＥ−ＬＦＴ８２５は圧縮される。これらの実施形態のうちのいくつかでは、ＨＥ−ＬＦＴ８２５はファクタ２で圧縮される。これらの実施形態では、圧縮されたＨＥ−ＬＦＴ８２５は、ＨＥ−ＬＦＴ８２５またはパケット９００Ｄのより少ない保護を与え得、したがって、ＲＨＥ−ＳＩＧ０  ９１５がパケット９００Ｄ中に存在し得る。
【０１４７】
[00160]ペイロード８３５は、サイクリックプレフィックス（ＣＰ）またはガードインターバル（ＧＩ）を備え得る。ペイロード８３５のより長いＣＰは、より良く保護されたまたはよりロバストなパケット９００Ｄを供給し得るが、ワイヤレス通信における追加のオーバーヘッドも与え得る。したがって、いくつかの実施形態では、より長いＣＰが使用される。他の実施形態では、より短いＣＰが使用される。単に例として、ＣＰは、０．８μｓ、１．６μｓ、または３．２μｓであり得る。例示的な一実施形態では、パケット９００ＤはＲＨＥ−ＳＩＧ０  ９１５を備え、ＨＥ−ＳＩＧ０Ｂ９２０はＭＣＳ１０を利用し、ＨＥ−ＬＦＴ８２５は圧縮されない。
【０１４８】
[00161]図９Ｅに、ワイヤレス通信を可能にするために使用され得るアップリンク物理レイヤパケット９００Ｅの別の例示的な構造を示す。図示の実施形態では、物理レイヤパケット９００Ｄは、Ｌ−ＳＴＦ  ４２２と、Ｌ−ＬＴＦ４２４と、Ｌ−ＳＩＧ  ４２６と、ＲＬ−ＳＩＧ９１０と、ＨＥ−ＳＩＧ０  ８１５と、ＨＥ−ＳＩＧ０Ｂ９２０と、ＨＥ−ＳＴＦ  ８２０と、ＨＥ−ＬＴＦ  ８２５と、ペイロード８３５とを含む。当業者は、図示された物理レイヤパケット９００Ｄが追加のフィールドを含むことができること、フィールドが並べ替えられ、除去され、および／またはリサイズされ得ること、ならびにフィールドの内容が変更され得ることを諒解されよう。たとえば、様々な実施形態では、ＨＥ−ＳＩＧ０Ｂ９２０またはＨＥ−ＳＴＦ  ８２０は、異なる長さであり得る。
【０１４９】
ＨＥ−ＳＴＦフィールド
[00162]再び図８を参照すると、一実施形態では、パケット８００は、ＨＥ−ＳＴＦフィールド８２０を省略し、それにより、オーバーヘッドを低減することができる。別の実施形態では、パケット８００は、ＨＥ−ＳＴＦフィールド８２０を含む。ＨＥ−ＳＴＦフィールド８２０を含むことは、有利には、（たとえば、自動利得制御などの）追加情報を搬送することができる。
【０１５０】
ＨＥ−ＬＴＦ整合
[00163]上記で説明したように、いくつかの実施形態では、ＨＥ−ＬＴＦフィールド８２５は、たとえば、異なる数の空間ストリームにより、ユーザ間で長さが変動し得る。図８の図示の実施形態では、ＨＥ−ＬＴＦフィールド８２５は、同じサイズである。様々な実施形態では、ＨＥ−ＬＴＦフィールド８２５は、異なるサイズであり得る。
【０１５１】
[00164]一実施形態では、ＨＥ−ＬＴＦフィールド８２５は、利用可能な帯域幅全体にわたって、ＨＥ−ＬＴＦフィールド８２５のうちの最も長いものにパディングすることによって、同じサイズに設定され得る。たとえば、ＳＴＡユーザ２のためのＨＥ−ＬＴＦ  ８２５が、ＳＴＡユーザ１のためのＨＥ−ＬＴＦ  ８２５よりも短いと仮定すると、ＳＴＡユーザ２は、それのＨＥ−ＬＴＦ  ８２５の長さを、ＳＴＡユーザ１のためのＨＥ−ＬＴＦ  ８２５の長さに一致するように、パディングすることができる。有利には、ＡＰ１０４のための受信機は簡略化され得、冗長ＨＥ−ＬＴＦ  ８２５がチャネル推定を改善することができる。
【０１５２】
[00165]いくつかの実施形態では、ＳＴＡは、帯域幅全体にわたってではなく各ゾーンにわたって、最も長いＨＥ−ＬＴＦ  ８２５に一致するように、各ＨＥ−ＬＴＦ  ８２５の長さをパディングすることができる。たとえば、ＳＴＡユーザ２は、異なるゾーン中にいるユーザ１のためのＨＥ−ＬＴＦ  ８２５に一致するようにではなく、ＯＦＤＭＡゾーン８４５中の最も長いＨＥ−ＬＴＦ  ８２５に一致するように、それのＨＥ−ＬＴＦ  ８２５をパディングすることができる。したがって、ＯＦＤＭＡユーザのためのオーバーヘッドが低くなり得、ＡＰ１０４のための受信機は簡略化され得る。
【０１５３】
[00166]いくつかの実施形態では、どのＳＴＡも、ＨＥ−ＬＴＦ  ８２５の長さを埋め合わせない。たとえば、ＳＴＡユーザ２は、ＳＴＡユーザ１のＨＥ−ＬＴＦ  ８２５よりも短いＨＥ−ＬＴＦ  ８２５を送信することができる。したがって、ＳＴＡユーザ１の送信のためのオーバーヘッドが低減され得る。
【０１５４】
[00167]図１０に、ワイヤレス通信を可能にするために使用され得るアップリンク物理レイヤパケット１０００の別の例示的な構造を示す。図示の実施形態では、物理レイヤパケット１０００は、Ｌ−ＳＴＦ  ４２２と、Ｌ−ＬＴＦ  ４２６と、Ｌ−ＳＩＧ  ４２６と、ＨＥ−ＳＩＧ０  ８１５と、ＨＥ−ＳＴＦ  ８２０と、ＨＥ−ＬＴＦ  ８２５と、ＨＥ−ＳＩＧ１  ８３０と、ペイロード８３５とを含む。当業者は、図示された物理レイヤパケット８００が追加のフィールドを含むことができること、フィールドが並べ替えられ、除去され、および／またはリサイズされ得ること、ならびにフィールドの内容が変更され得ることを諒解されよう。図１０に示されているように、ＳＴＡユーザ２のためのＨＥ−ＬＴＦ  ８２５は、ＳＴＡユーザ１のためのＨＥ−ＬＴＦ  ８２５よりも短く、２つは整合されない。
【０１５５】
ＨＥ−ＳＩＧ１フィールド
[00168]再び図８を参照すると、一実施形態では、パケット８００は、ＨＥ−ＳＩＧ１フィールド８３０を省略し、それにより、オーバーヘッドを低減することができる。別の実施形態では、パケット８００は、ＨＥ−ＳＩＧ１フィールド８３０を含む。ＨＥ−ＳＩＧ１フィールド８３０を含むことは、有利に、（たとえば、変調および制御方式パラメータなどの）追加情報を搬送することができる。
【０１５６】
[00169]図１１に、図１のワイヤレス通信システム１１０内で採用され得るワイヤレス通信の例示的な方法のための別のフローチャート１１００を示す。本方法は、図２に示されているワイヤレスデバイス２０２など、本明細書で説明するデバイスによって全体的にまたは部分的に実装され得る。本明細書では、図示された方法について、図１に関して上記で説明したワイヤレス通信システム１００、ならびに図８〜図１０に関して上記で説明したパケット８００、９００Ａ〜９００Ｃ、および１０００に関して説明するが、図示された方法は、本明細書で説明する別のデバイス、あるいは（ＳＴＡ１０６および／またはＡＰ１０４などの）任意の他の好適なデバイスによって実装され得ることを、当業者は諒解されよう。本明細書では、図示された方法について、特定の順序に関して説明するが、様々な実施形態では、本明細書のブロックは、異なる順序で実行されるか、または省略され得、さらなるブロックが追加され得る。
【０１５７】
[00170]最初に、ブロック１１１０において、第１のワイヤレスデバイスが、複数のデバイスによって復号可能な第１のプリアンブルと、複数のデバイスのサブセットのみによって復号可能な第２のプリアンブルとを含む第１のパケットを生成する。たとえば、ＳＴＡ１０６は、レガシープリアンブル８０５と、ＨＥプリアンブル８１０とを含むことができるパケット８００を生成することができる。様々な実施形態では、レガシープリアンブル８０５は第１のプリアンブルに対応することができ、ＨＥプリアンブル８１０は第２のプリアンブルに対応することができる。
【０１５８】
[00171]第１のプリアンブルは第１の信号フィールドを含む。たとえば、レガシープリアンブル８０５は、第１の信号フィールドに対応することができるＬ−ＳＩＧ  ４２６を含む。第２のプリアンブルは第１のトレーニングフィールドを含む。たとえば、ＨＥプリアンブル８１０は、第１のトレーニングフィールドに対応することができるＨＥ−ＬＴＦ  ８２５を含む。
【０１５９】
[00172]様々な実施形態では、第１の信号フィールドは、即時応答存在および／または持続時間指示を含むことができる。様々な実施形態では、第１の信号フィールドは、送信電力指示を含むことができる。様々な実施形態では、第１の信号フィールドは、部分時間同期機能（ＴＳＦ）を含むことができる。
【０１６０】
[00173]様々な実施形態では、第１の信号フィールドは、送信機会（ＴＸＯＰ）帯域幅（ＢＷ）および／または１次チャネルオフセット指示を含むことができる。様々な実施形態では、第１の信号フィールドは、部分基地局識別子（ＢＳＳＩＤ）を含むことができる。様々な実施形態では、第１の信号フィールドは、部分受信機関連付け識別子（ＡＩＤ）を含むことができる。
【０１６１】
[00174]様々な実施形態では、第１の信号フィールドは、部分送信機関連付け識別子（ＡＩＤ）を含むことができる。様々な実施形態では、第１の信号フィールドは、アップリンク／ダウンリンク指示を含むことができる。様々な実施形態では、アップリンク／ダウンリンク指示は、送信機または受信機関連付け識別子（ＡＩＤ）中で暗黙的であることがある。
【０１６２】
[00175]次に、ブロック１１２０において、ワイヤレスデバイスは、第１のワイヤレスデバイス以外のワイヤレスデバイスによって送信されるべき１つまたは複数の第２のパケットと同時に、第１のパケットを送信する。たとえば、ＳＴＡユーザ１は、ＳＴＡユーザ２と同時にＵＬパケット８００を送信することができる。ワイヤレスデバイスは、たとえば、第１のワイヤレスデバイス以外のワイヤレスデバイスとして、異なる物理的または論理的チャネル上で、第１のパケットを送信することができる。いくつかの実施形態では、同じチャネルは、パケット８００の少なくとも一部分（たとえば、Ｌ−ＳＩＧ  ４２６）のために使用され得る。
【０１６３】
[00176]様々な実施形態では、本方法は、第１のワイヤレスデバイスに割り当てられた全チャネル帯域幅サイズまでのチャネル帯域幅上で、第１の信号フィールドを送信することをさらに含むことができる。たとえば、ＳＴＡユーザ２は、図８に示されているように、下側２０ＭＨｚチャネルの一部分のみ（たとえば、１０ＭＨｚ）を割り当てられ得る。ＳＴＡユーザ２は、割り当てられた１０ＭＨｚチャネルを、最も近い全チャネルサイズ、たとえば２０ＭＨｚに切り上げることができる。したがって、ユーザ２は、下側２０ＭＨｚチャネル上でＬ−ＳＩＧ  ４２６を送信することができる。
【０１６４】
[00177]様々な実施形態では、本方法は、第１のワイヤレスデバイスが、１次チャネルとして指定されたチャネルの使用を割り当てられない場合、１次チャネルとして指定されたチャネル上で、第１の信号フィールドを送信することをさらに含むことができる。たとえば、ＳＴＡユーザ２は、上側２０ＭＨｚチャネルが１次チャネルであるとき、ＳＴＡユーザ２が割り当てられた下側２０ＭＨｚチャネルに加えて、上側２０ＭＨｚチャネル上でＬ−ＳＩＧ  ４２６を送信することができる。
【０１６５】
[00178]様々な実施形態では、本方法は、第１のワイヤレスデバイスによる使用のために割り当てられない１つまたは複数のチャネルを含む利用可能なチャネル帯域幅上で、第１の信号フィールドを送信することをさらに含むことができる。様々な実施形態では、利用可能なチャネル帯域幅は、利用可能なチャネル帯域幅の全体であることがある。たとえば、ＳＴＡユーザ２は、すべての４０ＭＨｚの利用可能な帯域幅上で、Ｌ−ＳＩＧ  ４２６を送信することができる。
【０１６６】
[00179]様々な実施形態では、第１のパケットの長さが、第１のワイヤレスデバイスとの共通ゾーンに割り当てられた第２のワイヤレスデバイスによって送信されるべき少なくとも１つの第２のパケットの長さよりも短いことがある。本方法は、第１のワイヤレスデバイスとの共通ゾーンに割り当てられた第２のワイヤレスデバイスによって送信されるべき少なくとも１つの第２のパケットのうちの最も長いものの長さに等しい、第１のパケットの長さを示すための第１の信号フィールドを設定することをさらに含むことができる。本方法は、第１のワイヤレスデバイスとの共通ゾーンに割り当てられた第２のワイヤレスデバイスによって送信されるべき少なくとも１つの第２のパケットのうちの最も長いものの長さに等しくなるように、送信のために第１のパケットをパディングすることをさらに含むことができる。
【０１６７】
[00180]様々な実施形態では、第１のパケットの長さが、第１のワイヤレスデバイスとは異なるゾーンに割り当てられた第２のワイヤレスデバイスによって送信されるべき少なくとも１つの第２のパケットの長さよりも短いことがある。本方法は、第１のワイヤレスデバイスと共通に割り当てられたゾーンを含む任意のゾーンに割り当てられている第２のワイヤレスデバイスによって送信されるべき少なくとも１つの第２のパケットのうちの最も長いものの長さに等しい、第１のパケットの長さを示すための第１の信号フィールドを設定することをさらに含むことができる。本方法は、第１のワイヤレスデバイスと共通に割り当てられたゾーンを含む任意のゾーンに割り当てられている第２のワイヤレスデバイスによって送信されるべき少なくとも１つの第２のパケットのうちの最も長いものの長さに等しくなるように、送信のために第１のパケットをパディングすることをさらに含むことができる。
【０１６８】
[00181]様々な実施形態では、第１のパケットの長さが、第２のワイヤレスデバイスによって送信されるべき少なくとも１つの第２のパケットの長さよりも短いことがある。本方法は、方法が、第１のパケットをパディングすることを控えることをさらに含むことができることを、さらに含むことができる。
【０１６９】
[00182]様々な実施形態では、第２のプリアンブルは、第２の信号フィールドをさらに含むことができる。たとえば、ＨＥプリアンブル８１０は、第２の信号フィールドに対応することができるＨＥ−ＳＩＧ０フィールド８１５を含むことができる。様々な実施形態では、ＨＥ−ＳＩＧ０フィールド８１５は、長さが１シンボルであり得る。
【０１７０】
[00183]様々な実施形態では、第２のプリアンブルは、第１の信号フィールドの完全または部分繰り返しと、第２の信号フィールドとをさらに含むことができる。たとえば、ＨＥプリアンブル８１０は、Ｌ−ＳＩＧ  ４２６の部分（または少なくとも部分）繰り返しに対応することができるＲＬ−ＳＩＧ９１０を含むことができる。ＨＥプリアンブル８１０は、第２の信号フィールドに対応することができるＨＥ−ＳＩＧ０フィールド８１５を含むことができる。いくつかの実施形態では、第１の信号フィールドの繰り返しは、代わりに第１の部分中に含まれ得る。様々な実施形態では、第２のプリアンブルは、第１の信号フィールドの偶数または奇数トーンの繰り返しと、第２の信号フィールドとをさらに含むことができる。
【０１７１】
[00184]様々な実施形態では、本方法は、第１の信号フィールドの完全または部分繰り返しの極性中の１つまたは複数のビットを符号化することをさらに含むことができる。たとえば、１を符号化するために、ＳＴＡ１０６は、Ｌ−ＳＩＧ  ４２６中の繰り返しビットに−１を乗算することができ、０を符号化するために、ＳＴＡ１０６は、Ｌ−ＳＩＧ  ４２６中の繰り返しビットに１を乗算することができる、などである。様々な実施形態では、正および負の繰り返し極性は、それぞれ、０および１を表すことができる。他の実施形態では、異なる符号化が可能である。
【０１７２】
[00185]様々な実施形態では、第２のプリアンブルは、第２の信号フィールドと、第２の信号フィールドの繰り返しとをさらに含むことができる。たとえば、ＨＥプリアンブル８１０は、第２の信号フィールドに対応することができるＨＥ−ＳＩＧ０フィールド８１５を含むことができる。様々な実施形態では、第２のプリアンブルは、第２のトレーニングフィールドをさらに含むことができ、第２のトレーニングフィールドは第１のトレーニングフィールドよりも短い。たとえば、ＨＥプリアンブル８１０は、繰り返しの第２の信号フィールドに対応することができるＲＨＥ−ＳＩＧ０フィールド９１５を含むことができる。
【０１７３】
[00186]様々な実施形態では、第１のトレーニングフィールドの長さが、第１のワイヤレスデバイスとの共通ゾーンに割り当てられた第２のワイヤレスデバイスによって送信されるべき少なくとも１つのトレーニングフィールドの長さよりも短いことがある。本方法は、第１のワイヤレスデバイスとの共通ゾーンに割り当てられた第２のワイヤレスデバイスによって送信されるべきすべてのトレーニングフィールドの境界を整合させるように、第１のトレーニングフィールドをパディングすることをさらに含むことができる。たとえば、ＳＴＡユーザ２は、ＯＦＤＭＡゾーン８４５中の別のユーザのためのＨＥ−ＬＴＦ  ８２５の長さに一致するように、ＳＴＡユーザ２のＨＥ−ＬＴＦ  ８２５をパディングすることができる。
【０１７４】
[00187]様々な実施形態では、第１のトレーニングフィールドの長さが、第１のワイヤレスデバイスと共通に割り当てられたゾーンを含む任意のゾーンに割り当てられている第２のワイヤレスデバイスによって送信されるべき少なくとも１つのトレーニングフィールドの長さよりも短いことがある。本方法は、第１のワイヤレスデバイスと共通に割り当てられたゾーンを含む任意のゾーンに割り当てられている第２のワイヤレスデバイスによって送信されるべきすべてのトレーニングフィールドの境界を整合させるように、第１のトレーニングフィールドをパディングすることをさらに含むことができる。たとえば、ＳＴＡユーザ２は、ＳＴＡユーザ１のためのＨＥ−ＬＴＦ  ８２５の長さに一致するように、ＳＴＡユーザ２のＨＥ−ＬＴＦ  ８２５をパディングすることができる。
【０１７５】
[00188]様々な実施形態では、第１のトレーニングフィールドの長さが、第２のワイヤレスデバイスによって送信されるべき少なくとも１つのトレーニングフィールドの長さよりも短いことがある。本方法は、第１のトレーニングフィールドをパディングすることを控えることをさらに含むことができる。様々な実施形態では、第２のプリアンブルは、第３の信号フィールドをさらに含むことができる。たとえば、ＳＴＡユーザ２は、図１０に示されているように、ＨＥ−ＬＴＦ  ８２５をパディングすることを控えることができる。
【０１７６】
[00189]一実施形態では、図１１に示されている方法は、生成回路と送信回路とを含むことができるワイヤレスデバイスにおいて実装され得る。第１のワイヤレスデバイスは、本明細書で説明する簡略化されたワイヤレスデバイスよりも多くの構成要素を有することができることを、当業者は諒解されよう。本明細書で説明するワイヤレスデバイスは、特許請求の範囲内の実装形態のいくつかの顕著な特徴を説明するのに有用な構成要素のみを含む。
【０１７７】
[00190]生成回路は、パケットを生成するように構成され得る。いくつかの実施形態では、生成回路は、図１１の少なくともブロック１１１０を実行するように構成され得る。生成回路は、プロセッサ２０４（図２）、メモリ２０６（図２）、およびＤＳＰ２２０（図２）のうちの１つまたは複数を含むことができる。いくつかの実装形態では、生成するための手段は生成回路を含むことができる。
【０１７８】
[00191]送信回路は、パケットを送信するように構成され得る。いくつかの実施形態では、送信回路は、図１１の少なくともブロック１１２０を実行するように構成され得る。送信回路は、送信機２１０（図２）、アンテナ２１６（図２）、およびトランシーバ２１４（図２）のうちの１つまたは複数を含むことができる。いくつかの実装形態では、送信するための手段は送信回路を含むことができる。
【０１７９】
[00192]情報および信号は多種多様な技術および技法のいずれかを使用して表され得ることを、当業者は理解されよう。たとえば、上記の説明全体にわたって言及され得るデータ、命令、コマンド、情報、信号、ビット、シンボル、およびチップは、電圧、電流、電磁波、磁界または磁性粒子、光場または光学粒子、あるいはそれらの任意の組合せによって表され得る。
【０１８０】
[00193]本開示で説明した実装形態への様々な修正は当業者には容易に明らかであり得、本明細書で定義した一般原理は、本開示の趣旨または範囲から逸脱することなく他の実装形態に適用され得る。したがって、本開示は、本明細書で示した実装形態に限定されるものではなく、本明細書で開示する特許請求の範囲、原理および新規の特徴に一致する、最も広い範囲を与られるべきである。「例示的」という単語は、本明細書ではもっぱら「例、事例、または例示の働きをすること」を意味するために使用される。「例示的」として本明細書で説明するいかなる実装形態も、必ずしも他の実装形態よりも好ましいまたは有利であると解釈されるべきであるとは限らない。
【０１８１】
[00194]また、別個の実装形態に関して本明細書で説明したいくつかの特徴は、単一の実装形態において組合せで実装され得る。また、逆に、単一の実装形態に関して説明した様々な特徴は、複数の実装形態において別個に、または任意の好適な部分組合せで実装され得る。その上、特徴は、いくつかの組合せで働くものとして上記で説明され、初めにそのように請求されることさえあるが、請求される組合せからの１つまたは複数の特徴は、場合によってはその組合せから削除され得、請求される組合せは、部分組合せ、または部分組合せの変形形態を対象とし得る。
【０１８２】
[00195]上記で説明した方法の様々な動作は、（１つまたは複数の）様々なハードウェアおよび／またはソフトウェア構成要素、回路、および／または（１つまたは複数の）モジュールなど、それらの動作を実行することが可能な任意の好適な手段によって実行され得る。概して、図に示すどの動作も、その動作を実行することが可能な対応する機能的手段によって実行され得る。
【０１８３】
[00196]本開示に関連して説明した様々な例示的な論理ブロック、モジュール、および回路は、汎用プロセッサ、デジタル信号プロセッサ（ＤＳＰ）、特定用途向け集積回路（ＡＳＩＣ）、フィールドプログラマブルゲートアレイ信号（ＦＰＧＡ）または他のプログラマブル論理デバイス（ＰＬＤ）、個別ゲートまたはトランジスタ論理、個別ハードウェア構成要素、あるいは本明細書で説明した機能を実行するように設計されたそれらの任意の組合せを用いて実装または実行され得る。汎用プロセッサはマイクロプロセッサであり得るが、代替として、プロセッサは、任意の市販のプロセッサ、コントローラ、マイクロコントローラ、または状態機械であり得る。プロセッサはまた、コンピューティングデバイスの組合せ、たとえば、ＤＳＰとマイクロプロセッサとの組合せ、複数のマイクロプロセッサ、ＤＳＰコアと連携する１つまたは複数のマイクロプロセッサ、あるいは任意の他のそのような構成として実装され得る。
【０１８４】
[00197]１つまたは複数の態様では、説明した機能は、ハードウェア、ソフトウェア、ファームウェア、またはそれらの任意の組合せで実装され得る。ソフトウェアで実装される場合、機能は、１つまたは複数の命令またはコードとしてコンピュータ可読媒体上に記憶されるか、あるいはコンピュータ可読媒体を介して送信され得る。コンピュータ可読媒体は、ある場所から別の場所へのコンピュータプログラムの転送を可能にする任意の媒体を含む、コンピュータ記憶媒体と通信媒体の両方を含む。記憶媒体は、コンピュータによってアクセスされ得る任意の利用可能な媒体であり得る。限定ではなく例として、そのようなコンピュータ可読媒体は、ＲＡＭ、ＲＯＭ、ＥＥＰＲＯＭ（登録商標）、ＣＤ−ＲＯＭまたは他の光ディスクストレージ、磁気ディスクストレージまたは他の磁気ストレージデバイス、あるいは命令またはデータ構造の形態の所望のプログラムコードを搬送または記憶するために使用され得、コンピュータによってアクセスされ得る、任意の他の媒体を含むことができる。また、いかなる接続もコンピュータ可読媒体と適切に呼ばれる。たとえば、ソフトウェアが、同軸ケーブル、光ファイバケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバケーブル、ツイストペア、ＤＳＬ、または赤外線、無線、およびマイクロ波などのワイヤレス技術は、媒体の定義に含まれる。本明細書で使用するディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）およびＢｌｕ−ｒａｙ（登録商標）ディスク（disc）を含み、ここで、ディスク（disk）は、通常、データを磁気的に再生し、ディスク（disc）は、データをレーザーで光学的に再生する。したがって、いくつかの態様では、コンピュータ可読媒体は非一時的コンピュータ可読媒体（たとえば、有形媒体）を含むことができる。さらに、いくつかの態様では、コンピュータ可読媒体は一時的コンピュータ可読媒体（たとえば、信号）を含むことができる。上記の組合せもコンピュータ可読媒体の範囲内に含まれ得る。
【０１８５】
[00198]本明細書で開示する方法は、説明した方法を達成するための１つまたは複数のステップまたはアクションを含む。本方法のステップおよび／またはアクションは、特許請求の範囲から逸脱することなく互いに交換され得る。言い換えれば、ステップまたはアクションの特定の順序が指定されない限り、特定のステップおよび／またはアクションの順序および／または使用は、特許請求の範囲から逸脱することなく変更され得る。
【０１８６】
[00199]さらに、本明細書で説明した方法および技法を実行するためのモジュールおよび／または他の適切な手段は、適用可能な場合にユーザ端末および／または基地局によってダウンロードされ、および／または他の方法で取得され得ることが諒解され得る。たとえば、そのようなデバイスは、本明細書で説明した方法を実行するための手段の転送を可能にするためにサーバに結合され得る。代替的に、本明細書で説明した様々な方法は、ユーザ端末および／または基地局が記憶手段（たとえば、ＲＡＭ、ＲＯＭ、コンパクトディスク（ＣＤ）またはフロッピーディスクなどの物理記憶媒体など）をデバイスに結合するかまたは与えると様々な方法を得ることができるように、記憶手段によって提供され得る。その上、本明細書で説明した方法および技法をデバイスに与えるための任意の他の好適な技法が利用され得る。
【０１８７】
[00200]上記は本開示の態様を対象とするが、本開示の他の態様およびさらなる態様は、それの基本的範囲から逸脱することなく考案され得、それの範囲は以下の特許請求の範囲によって決定される。
以下に本願の出願当初の特許請求の範囲に記載された発明を付記する。
［Ｃ１］
第１のワイヤレスデバイスにおいて、複数のデバイスによって復号可能な第１のプリアンブルと、前記複数のデバイスのサブセットのみによって復号可能な第２のプリアンブルとを備える第１のパケットを生成すること、ここで、前記第１のプリアンブルが第１の信号フィールドを備え、前記第２のプリアンブルが第１のトレーニングフィールドを備える、と、
前記第１のワイヤレスデバイス以外のワイヤレスデバイスによって送信される１つまたは複数の第２のパケットと同時に、前記第１のパケットを送信することと、
を備える、ワイヤレス通信の方法。
［Ｃ２］
前記第１のワイヤレスデバイスに割り当てられた全チャネル帯域幅のサイズまでのチャネル帯域幅上で、前記第１の信号フィールドを送信することをさらに備える、Ｃ１に記載の方法。
［Ｃ３］
前記第１のワイヤレスデバイスが、１次チャネルとして指定されたチャネルの使用を割り当てられない場合、前記１次チャネルとして指定された前記チャネル上で、前記第１の信号フィールドを送信することをさらに備える、Ｃ１に記載の方法。
［Ｃ４］
前記第１のワイヤレスデバイスによる使用のために割り当てられない１つまたは複数のチャネルを含む利用可能なチャネル帯域幅上で、前記第１の信号フィールドを送信することをさらに備える、Ｃ１に記載の方法。
［Ｃ５］
前記利用可能なチャネル帯域幅が、前記利用可能なチャネル帯域幅の全体である、Ｃ４に記載の方法。
［Ｃ６］
前記第１のパケットの長さが、前記第１のワイヤレスデバイスとの共通ゾーンに割り当てられた第２のワイヤレスデバイスによって送信されるべき少なくとも１つの第２のパケットの長さよりも短く、
前記方法が、前記第１のワイヤレスデバイスとの前記共通ゾーンに割り当てられた前記第２のワイヤレスデバイスによって送信されるべき前記少なくとも１つの第２のパケットのうちの最も長いものの長さに等しい、前記第１のパケットの長さを示すための前記第１の信号フィールドを設定することをさらに備える、Ｃ１に記載の方法。
［Ｃ７］
前記方法が、前記第１のワイヤレスデバイスとの前記共通ゾーンに割り当てられた前記第２のワイヤレスデバイスによって送信されるべき前記少なくとも１つの第２のパケットのうちの前記最も長いものの前記長さに等しくなるように、送信のために前記第１のパケットをパディングすることをさらに備える、Ｃ６に記載の方法。
［Ｃ８］
前記第１のパケットの長さが、前記第１のワイヤレスデバイスと共通に割り当てられたゾーンを含む任意のゾーンに割り当てられている第２のワイヤレスデバイスによって送信されるべき少なくとも１つの第２のパケットの長さよりも短く、
前記方法が、任意のゾーンに割り当てられている前記第２のワイヤレスデバイスによって送信されるべき前記少なくとも１つの第２のパケットのうちの最も長いものの長さに等しい、前記第１のパケットの長さを示すための前記第１の信号フィールドを設定することをさらに備える、Ｃ１に記載の方法。
［Ｃ９］
前記方法が、前記第１のワイヤレスデバイスと共通に割り当てられたゾーンを含む任意のゾーンに割り当てられている前記第２のワイヤレスデバイスによって送信されるべき前記少なくとも１つの第２のパケットのうちの前記最も長いものの前記長さに等しくなるように、送信のために前記第１のパケットをパディングすることをさらに備える、Ｃ８に記載の方法。
［Ｃ１０］
前記第１のパケットの長さが、第２のワイヤレスデバイスによって送信されるべき少なくとも１つの第２のパケットの長さよりも短く、
前記方法が、前記第１のパケットをパディングすることを控えることをさらに備える、Ｃ１に記載の方法。
［Ｃ１１］
前記第２のプリアンブルが、第２の信号フィールドをさらに備える、Ｃ１に記載の方法。
［Ｃ１２］
前記第２のプリアンブルが、長さが１シンボルである第２の信号フィールドをさらに備える、Ｃ１に記載の方法。
［Ｃ１３］
前記第２のプリアンブルが、前記第１の信号フィールドの完全または部分繰り返しと、第２の信号フィールドとをさらに備える、Ｃ１に記載の方法。
［Ｃ１４］
前記第１の信号フィールドの前記完全または部分繰り返しの極性中の１つまたは複数のビットを符号化することをさらに備える、Ｃ１３に記載の方法。
［Ｃ１５］
ワイヤレス通信するように構成された装置であって、
複数のデバイスによって復号可能な第１のプリアンブルと、前記複数のデバイスのサブセットのみによって復号可能な第２のプリアンブルとを備える第１のパケットを生成するように構成されたプロセッサ、ここで、前記第１のプリアンブルが第１の信号フィールドを備え、前記第２のプリアンブルが第１のトレーニングフィールドを備える、と、
前記装置以外のワイヤレスデバイスによって送信されるべき１つまたは複数の第２のパケットと同時に、前記第１のパケットを送信するように構成された送信機と、
を備える、装置。
［Ｃ１６］
前記第２のプリアンブルが、前記第１の信号フィールドの偶数または奇数トーンの繰り返しと、第２の信号フィールドとをさらに備える、Ｃ１５に記載の装置。
［Ｃ１７］
前記第２のプリアンブルが、第２の信号フィールドと、前記第２の信号フィールドの繰り返しとをさらに備える、Ｃ１５に記載の装置。
［Ｃ１８］
前記第２のプリアンブルが、第２のトレーニングフィールドをさらに備え、前記第２のトレーニングフィールドが前記第１のトレーニングフィールドよりも短い、Ｃ１５に記載の装置。
［Ｃ１９］
前記第１のトレーニングフィールドの長さが、前記装置との共通ゾーンに割り当てられた第２のワイヤレスデバイスによって送信されるべき少なくとも１つのトレーニングフィールドの長さよりも短く、
前記プロセッサが、前記装置との前記共通ゾーンに割り当てられた前記第２のワイヤレスデバイスによって送信されるべきすべてのトレーニングフィールドの境界を整合させるように、前記第１のトレーニングフィールドをパディングするようにさらに構成された、
Ｃ１５に記載の装置。
［Ｃ２０］
前記第１のトレーニングフィールドの長さが、前記装置と共通に割り当てられたゾーンを含む任意のゾーンに割り当てられている第２のワイヤレスデバイスによって送信されるべき少なくとも１つのトレーニングフィールドの長さよりも短く、
前記プロセッサが、前記装置と共通に割り当てられたゾーンを含む任意のゾーンに割り当てられている前記第２のワイヤレスデバイスによって送信されるべきすべてのトレーニングフィールドの境界を整合させるように、前記第１のトレーニングフィールドをパディングするようにさらに構成された、
Ｃ１５に記載の装置。
［Ｃ２１］
前記第１のトレーニングフィールドの長さが、第２のワイヤレスデバイスによって送信されるべき少なくとも１つのトレーニングフィールドの長さよりも短く、
前記プロセッサが、前記第１のトレーニングフィールドをパディングすることを控えるようにさらに構成された、
Ｃ１５に記載の装置。
［Ｃ２２］
前記第２のプリアンブルが、第２の信号フィールドをさらに備え、
第２の部分の第３の信号フィールドのために使用される保護方法と、
前記第１のトレーニングフィールドのために使用される圧縮方法と、
前記第１のパケットのペイロードのプレフィックスと、
のうちの１つに少なくとも部分的に基づく前記第２の信号フィールドの繰り返しをさらに備え得る、Ｃ１５に記載の装置。
［Ｃ２３］
前記第１の信号フィールドが、即時応答存在および／または持続時間指示を備える、Ｃ１５に記載の装置。
［Ｃ２４］
前記第１の信号フィールドが、送信電力指示を備える、Ｃ１５に記載の装置。
［Ｃ２５］
前記第１の信号フィールドが、部分時間同期機能（ＴＳＦ）を備える、Ｃ１５に記載の装置。
［Ｃ２６］
前記第１の信号フィールドが、送信機会（ＴＸＯＰ）帯域幅（ＢＷ）および／または１次チャネルオフセット指示を備える、Ｃ１５に記載の装置。
［Ｃ２７］
前記第１の信号フィールドが、部分基地局識別子（ＢＳＳＩＤ）を備える、Ｃ１５に記載の装置。
［Ｃ２８］
前記第１の信号フィールドが、アップリンク／ダウンリンク指示を備える、Ｃ１５に記載の装置。
［Ｃ２９］
ワイヤレス通信のための装置であって、
複数のデバイスによって復号可能な第１のプリアンブルと、前記複数のデバイスのサブセットのみによって復号可能な第２のプリアンブルとを備える第１のパケットを生成するための手段、ここで、前記第１のプリアンブルが第１の信号フィールドを備え、前記第２のプリアンブルが第１のトレーニングフィールドを備える、と、
前記装置以外のワイヤレスデバイスによって送信されるべき１つまたは複数の第２のパケットと同時に、前記第１のパケットを送信するための手段と、
を備える、装置。
［Ｃ３０］
実行されたとき、装置に、
複数のデバイスによって復号可能な第１のプリアンブルと、前記複数のデバイスのサブセットのみによって復号可能な第２のプリアンブルとを備える第１のパケットを生成すること、ここで、前記第１のプリアンブルが第１の信号フィールドを備え、前記第２のプリアンブルが第１のトレーニングフィールドを備える、と、
前記装置以外のワイヤレスデバイスによって送信されるべき１つまたは複数の第２のパケットと同時に、前記第１のパケットを送信することと、
を行わせるコードを備える非一時的コンピュータ可読媒体。
【図１】
0006356338.tif 000002
【図２】
0006356338.tif 000003
【図３】
0006356338.tif 000004
【図４】
0006356338.tif 000005
【図５】
0006356338.tif 000006
【図６】
0006356338.tif 000007
【図７】
0006356338.tif 000008
【図８】
0006356338.tif 000009
【図９Ａ】
0006356338.tif 000010
【図９Ｂ】
0006356338.tif 000011
【図９Ｃ】
0006356338.tif 000012
【図９Ｄ】
0006356338.tif 000013
【図９Ｅ】
0006356338.tif 000014
【図１０】
0006356338.tif 000015
【図１１】
0006356338.tif 000016